(57)【特許請求の範囲】
【請求項１】
第１の玄関子機および第１のドアホン親機を含む複数の端末間で通信を行う第１の通信ネットワークと、第２の玄関子機および第２のドアホン親機を含む複数の端末間で通信を行う第２の通信ネットワークと、を有し、前記第１の通信ネットワークと前記第２の通信ネットワークとを接続したドアホンシステムにおいて、
前記第１のドアホン親機及び前記第２のドアホン親機の少なくとも一方は、
タイムスロット毎に、当該タイムスロットに格納される情報を前記第１の通信ネットワークと前記第２の通信ネットワークとの間で共有するか否かを示す、共有／非共有を設定し、
前記共有／非共有の設定内容に従って、前記第１の通信ネットワークと前記第２の通信ネットワークとの間の接続／遮断を制御する、
ドアホンシステム。
【請求項２】
前記第１の通信ネットワークおよび前記第２の通信ネットワークは、それぞれ、複数のデータスロットと同期スロットを含むタイムスロット群から構成されるフレームを使用して前記通信を行い、
前記第１のドアホン親機及び前記第２のドアホン親機の少なくとも一方は、
少なくとも前記同期スロットに対し、前記共有を設定する、
請求項１に記載のドアホンシステム。
【請求項３】
前記第１のドアホン親機及び前記第２のドアホン親機の少なくとも一方は、
前記各タイムスロットに対する前記共有／非共有の設定内容および使用権限と、当該使用権限に準拠すべき端末である指定端末と、を示すスロット管理情報を格納した前記同期スロットを、前記第１の通信ネットワークの前記複数の端末および前記第２の通信ネットワークの前記複数の端末のそれぞれに送信し、
前記端末は、
第１のフレームの前記指定端末に該当するとき、前記第１のフレームにおいて前記第１のフレームの前記使用権限に従って動作し、前記第１のフレームの前記指定端末に該当せず、かつ、過去に受信した第２のフレームの前記指定端末に該当するとき、前記第１のフレームにおいて前記第２のフレームの前記使用権限に従って動作する、
請求項２に記載のドアホンシステム。
【請求項４】
前記フレームは、当該フレームの前記指定端末が送信を行うための前記データスロットである指定端末送信スロットを含み、
前記スロット管理情報は、前記データスロット毎に、送信元情報、送信先情報、およびコンテンツ種別情報を記述し、
前記第１のドアホン親機及び前記第２のドアホン親機の少なくとも一方は、
前記データスロット毎に、前記送信元情報および前記送信先情報に基づいて前記共有／非共有の設定内容を判定し、
前記端末は、
前記フレーム毎に、前記指定端末送信スロットの前記送信元情報に基づいて当該フレームの前記指定端末に該当するか否かを判定する、
請求項３に記載のドアホンシステム。
【請求項５】
前記第１のドアホン親機及び前記第２のドアホン親機の少なくとも一方は、
前記第１の通信ネットワークの前記複数の端末のそれぞれを前記指定端末とする同期スロットと、前記第２の通信ネットワークの前記複数の端末のそれぞれを前記指定端末とする同期スロットと、を１つまたは複数の前記フレーム数毎に切り替えて送信する、
請求項４に記載のドアホンシステム。
【請求項６】
前記第１のドアホン親機及び前記第２のドアホン親機の少なくとも一方は、
前記フレームの前記データスロットの送信元および送信先を、前記第１の通信ネットワークと前記第２の通信ネットワークとに跨いで設定する事により、当該データスロットに対して共有を設定し、前記フレームの前記データスロットの送信元および送信先を、前記第１の通信ネットワークと前記第２の通信ネットワークとに跨がずに設定する事により、当該データスロットに対して非共有を設定し、
前記共有が設定されている前記データスロットにおいて、前記第１の通信ネットワークと前記第２の通信ネットワークとの間を接続させ、前記非共有が設定されている前記データスロットにおいて、前記第１の通信ネットワークと前記第２の通信ネットワークとの間を遮断させる、
請求項５に記載のドアホンシステム。
【請求項７】
第１の玄関子機および第１のドアホン親機を含む複数の端末間で通信を行う第１の通信ネットワークと、第２の玄関子機および第２のドアホン親機を含む複数の端末間で通信を行う第２の通信ネットワークと、を有し、前記第１の通信ネットワークと前記第２の通信ネットワークとを接続したドアホンシステムにおける通信制御方法であって、
前記第１のドアホン親機及び前記第２のドアホン親機の少なくとも一方が、
タイムスロット毎に、当該タイムスロットに格納される情報を前記第１の通信ネットワークと前記第２の通信ネットワークとの間で共有するか否かを示す、共有／非共有を設定し、
前記共有／非共有の設定内容に従って、前記第１の通信ネットワークと前記第２の通信ネットワークとの間の接続／遮断を制御する、
通信制御方法。
【発明の詳細な説明】
【技術分野】
【０００１】
本開示は、ドアホンシステム、および、ドアホンシステムにおける通信制御方法に関する。
【背景技術】
【０００２】
玄関への来訪者の確認や来訪者との会話を建物内から行う事ができるドアホンシステムは、広く普及している。これらのドアホンシステムは、玄関先に設置された玄関子機と、建物内に設置された映像をモニタできるドアホン親機とを含み、更に、増設モニタ等の各種増設機器を含む場合もある。
【０００３】
ところが、現在主流の従来型のドアホンシステムでは、映像信号をアナログ信号で伝送する方式のため、ノイズの影響を受けやすく、また伝送路の影響により信号波形がひずんだり、減衰量が増加したりするため、高品質の映像伝送が困難である。そこで、１つのドアホン親機と当該親機に接続される接続機器間の通信をデジタル信号で行うドアホンシステムが提案されている。（例えば、特許文献１参照）
【０００４】
１つのドアホン親機に接続された接続機器との間をデジタル通信で結ぶという事は、１つのドアホンシステム内で閉じた内容である。１つのドアホン親機と当該ドアホン親機にデジタル通信で接続される接続機器からなるドアホンシステムを１つの通信ネットワークと考えた場合、複数の通信ネットワークを、利便性を高めて接続する事を考える必要がある。例えば、２つの通信ネットワークを接続して、二世帯住宅におけるドアホンシステムを構築する場合、親世帯用の玄関への来訪者を、親世帯の宅内からだけでなく子世帯の宅内からも確認する事ができれば便利である。このような機能を実現すべく、親世帯のドアホンシステムの通信ネットワークと子世帯のドアホンシステムの通信ネットワークとを接続し、映像データ等の各種情報を両方の通信ネットワークで共有する事が考えられる。
【先行技術文献】
【特許文献】
【０００５】
【特許文献１】特開２００７−１２４２２７号公報
【発明の概要】
【発明が解決しようとする課題】
【０００６】
しかしながら、複数の通信ネットワークを安易に接続すると、ドアホンシステムの利便性を却って損ねるおそれがある。例えば、子世帯の玄関先の映像が、親世帯には不要であるにもかかわらず親世帯のドアホンシステムの通信ネットワークに送信されると、親世帯側の通信資源が不必要に消費され、親世帯側の通信品質が低下するおそれも出てくる。
【０００７】
本開示の目的は、複数世帯の利用において利便性の向上を図る事ができる、ドアホンシステムおよび通信制御方法を提供する事である。
【課題を解決するための手段】
【０００８】
本開示のドアホンシステムは、第１の玄関子機および第１のドアホン親機を含む複数の端末間で通信を行う第１の通信ネットワークと、第２の玄関子機および第２のドアホン親機を含む複数の端末間で通信を行う第２の通信ネットワークと、を有し、前記第１の通信ネットワークと前記第２の通信ネットワークとを接続したドアホンシステムにおいて、前記第１のドアホン親機及び前記第２のドアホン親機の少なくとも一方は、タイムスロット毎に、当該タイムスロットに格納される情報を前記第１の通信ネットワークと前記第２の通信ネットワークとの間で共有するか否かを示す、共有／非共有を設定し、前記共有／非共有の設定内容に従って、前記第１の通信ネットワークと前記第２の通信ネットワークとの間の接続／遮断を制御する。
【０００９】
本開示の通信制御方法は、第１の玄関子機および第１のドアホン親機を含む複数の端末間で通信を行う第１の通信ネットワークと、第２の玄関子機および第２のドアホン親機を含む複数の端末間で通信を行う第２の通信ネットワークと、を有し、前記第１の通信ネットワークと前記第２の通信ネットワークとを接続したドアホンシステムにおける通信制御方法であって、前記第１のドアホン親機及び前記第２のドアホン親機の少なくとも一方が、タイムスロット毎に、当該タイムスロットに格納される情報を前記第１の通信ネットワークと前記第２の通信ネットワークとの間で共有するか否かを示す、共有／非共有を設定し、前記共有／非共有の設定内容に従って、前記第１の通信ネットワークと前記第２の通信ネットワークとの間の接続／遮断を制御する。
【発明の効果】
【００１０】
本開示によれば、複数世帯の利用において利便性の向上を図る事ができる。
【図面の簡単な説明】
【００１１】
【図１】本開示の実施の形態１に係るドアホンシステムの構成の一例を示すシステム構成図
【図２】実施の形態１におけるフレーム構成およびスロット構成の一例を示す模式図
【図３】実施の形態１における同期スロットの位置および構成の一例を示す模式図
【図４】実施の形態１における玄関子機の構成の一例を示すブロック図
【図５】実施の形態１におけるドアホン親機の構成の一例を示すブロック図
【図６】実施の形態１における増設モニタの構成の一例を示すブロック図
【図７】実施の形態１に係るドアホンシステムのネットワーク構成を概念的に示す図
【図８】実施の形態１におけるドアホン親機の動作の一例を示すフローチャート
【図９】実施の形態１におけるマスタ親機処理の一例を示すフローチャート
【図１０】実施の形態１におけるスレーブ親機処理の一例を示すフローチャート
【図１１】実施の形態１における端末通信処理の一例を示すフローチャート
【図１２】実施の形態１に係るドアホンシステムの、データを共有しない場合の動作の一例を示すシーケンス図
【図１３】本実施の形態に係るドアホンシステムの、図１２に続く動作の一例
【図１４】本実施の形態に係るドアホンシステムの、データを共有する場合の動作の一例を示すシーケンス図
【図１５】本開示の実施の形態２におけるマスタ親機処理の一例を示すフローチャート
【図１６】実施の形態２におけるスレーブ親機処理の一例を示すフローチャート
【図１７】実施の形態２における各スロットの機能の一例を示す模式図
【図１８】実施の形態２に係るドアホンシステムの動作の一例を示すシーケンス図
【図１９】実施の形態３におけるドアホン親機の動作の一例を示すフローチャート
【図２０】実施の形態３に係るドアホンシステムの、第１の通信ネットワークにおいて先に所定のイベントが発生した場合の動作の一例を示すシーケンス図
【図２１】実施の形態３に係るドアホンシステムの、第２の通信ネットワークにおいて先に所定のイベントが発生した場合の動作の一例を示すシーケンス図
【発明を実施するための形態】
【００１２】
以下、本開示の各実施の形態について、図面を参照して詳細に説明する。
【００１３】
（実施の形態１）
本実施の形態は、複数のドアホン親機のうち１つのドアホン親機がドアホンシステムの動作を制御する場合の例である。
【００１４】
＜システムの概要＞
まず、本開示の一実施の形態に係るドアホンシステムの概要について説明する。
【００１５】
図１は、本実施の形態に係るドアホンシステムの構成の一例を示すシステム構成図である。本実施の形態に係るドアホンシステムは、例えば、親世帯用と子世帯用とに住居スペースが分かれた、二世帯住宅に設置されるシステムである。
【００１６】
図１に示すように、ドアホンシステム１００は、親世帯用の住居スペースに配置される第１のドアホンシステム１１０ａと、子世帯用の住居スペースに配置される第２のドアホンシステム１１０ｂと、これらを接続する通信ケーブル１１１とを有する。
【００１７】
第１のドアホンシステム１１０ａは、２つの第１の玄関子機２００ａ−１、２００ａ−２、第１のドアホン親機３００ａ、および第１の増設モニタ４００ａを有する。第１の玄関子機２００ａ−１、２００ａ−２および第１の増設モニタ４００ａは、それぞれ、通信ケーブル２０１ａ−１、２０１ａ−２、４０１ａを介して第１のドアホン親機３００ａに接続されている。
【００１８】
第１のドアホンシステム１１０ａは、第１のドアホン親機３００ａによるデータ転送機能により、第１のドアホン親機３００ａを中心としたスター型の通信ネットワーク（以下「第１の通信ネットワーク１２０ａ」という）を形成している。かかる第１の通信ネットワーク１２０ａは、後述するが、スロット（タイムスロット）を単位として送信主体を切り替える、時分割複信による通信を行う通信ネットワークである。
【００１９】
第２のドアホンシステム１１０ｂは、２つの第２の玄関子機２００ｂ−１、２００ｂ−２、第２のドアホン親機３００ｂ、および第２の増設モニタ４００ｂを有する。第２の玄関子機２００ｂ−１、２００ｂ−２および第２の増設モニタ４００ｂは、それぞれ、通信ケーブル２０１ｂ−１、２０１ｂ−２、４０１ｂを介して第１のドアホン親機３００ｂに接続されている。
【００２０】
第２のドアホンシステム１１０ｂは、第２のドアホン親機３００ｂによるデータ転送機能により、第２のドアホン親機３００ｂを中心としたスター型の通信ネットワーク（以下「第２の通信ネットワーク１２０ｂ」という）を形成している。かかる第２の通信ネットワーク１２０ｂは、後述するが、第１の通信ネットワーク１２０ａと同様に、所定の時分割複信による通信を行う通信ネットワークである。
【００２１】
なお、上述の通信ケーブル１１１は、第１のドアホン親機３００ａと第２のドアホン親機３００ｂとを接続している。通信ケーブル１１１、２０１ａ−１、２０１ａ−２、４０１ａ、２０１ｂ−１、２０１ｂ−２、４０１ｂのそれぞれは、１対の銅線から成る２線ケーブルである。
【００２２】
第１のドアホン親機３００ａおよび第２のドアホン親機３００ｂは、同一の構成を有するため、適宜「ドアホン親機３００」として纏めて説明を行う。第１の玄関子機２００ａ−１、２００ａ−２および第２の玄関子機２００ｂ−１、２００ｂ−２は、同一の構成を有するため、適宜「玄関子機２００」として纏めて説明を行う。第１の増設モニタ４００ａおよび第２の増設モニタ４００ｂは、同一の構成を有するため、適宜「増設モニタ４００」として纏めて説明を行う。
【００２３】
また、玄関子機２００、ドアホン親機３００、および増設モニタ４００は、それぞれ通信主体となる端末であり、適宜、「端末」と纏めて称する。
【００２４】
玄関子機２００は、親世帯の住居スペースおよび子世帯の住居スペースのそれぞれの玄関先に設けられる。ドアホン親機３００および増設モニタ４００は、親世帯の住居スペースおよび子世帯の住居スペースのそれぞれの宅内に設けられ、壁に固定されたり、テーブルまたは台の上などに載置されたりする。
【００２５】
玄関子機２００は、呼出ボタンの操作等の所定の操作が行われたとき、呼出信号を含む制御信号を生成し、玄関周辺の映像を撮影して映像データを生成し、玄関周辺の音声を取得して音声データを生成する。また、玄関子機２００は、ドアホン親機３００から受信した音声データおよび制御情報に従って、音声の出力等を行う。
【００２６】
ドアホン親機３００は、玄関子機２００と通信を行い、玄関子機２００から制御信号、映像データ、および音声データを受信し、音声データおよび制御情報を送信する。また、ドアホン親機３００は、増設モニタ４００と通信を行う。そして、ドアホン親機３００は、玄関子機２００から受信した制御信号、映像データ、および音声データ（以下、適宜「各種子機データ」という）を増設モニタ４００へ転送し、増設モニタ４００から受信した音声データおよび制御情報を玄関子機２００へ転送する。
【００２７】
ドアホン親機３００は、玄関子機２００から呼出信号を受信したとき、呼出音の出力を行うと共に、玄関周辺の映像および音声を出力する。そして、応答ボタンの操作等の所定の操作が行われると、ドアホン親機３００周辺の音声を取得して音声データを生成し、制御情報と共に玄関子機２００へ送信する。
【００２８】
更に、ドアホン親機３００は、ドアホンシステム１００の他のドアホン親機３００と通信を行う。そして、ドアホン親機３００は、他のドアホン親機３００との間で情報をやり取りするだけでなく、玄関子機２００から受信した各種子機データを他のドアホン親機３００へ転送し、他のドアホン親機３００から受信した各種子機データに対し、音声／映像出力や転送等の所定の処理を行う。すなわち、第１のドアホンシステム１１０ａと第２のドアホンシステム１１０ｂ（第１の通信ネットワーク１２０ａと第２の通信ネットワーク１２０ｂ）は、第１のドアホン親機３００ａおよび第２のドアホン親機３００ｂにより、通信ケーブル１１１を介して接続されている。
【００２９】
増設モニタ４００は、ドアホン親機３００から呼出信号を受信したとき、呼出音の出力を行うと共に、玄関周辺の映像および音声を出力する。そして、応答ボタンの操作等の所定の操作が行われると、増設モニタ４００周辺の音声を取得して音声データを生成し、制御情報と共にドアホン親機３００へ送信する。
【００３０】
なお、以下の説明において、玄関子機２００あるいは増設モニタ４００からドアホン親機３００への方向は、適宜、「上り方向」という。玄関子機２００あるいは増設モニタ４００から上り方向へ送信されるパケットおよび信号は、適宜、それぞれ「上りパケット」、「上り信号」という。ドアホン親機３００から玄関子機２００あるいは増設モニタ４００への方向は、適宜、「下り方向」という。そして、ドアホン親機３００から下り方向へ送信されるパケットおよび信号は、適宜、それぞれ「下りパケット」、「下り信号」という。
【００３１】
＜フレーム構成およびスロット構成＞
ここで、上述の時分割複信における、フレーム構成およびスロット構成について説明する。
【００３２】
図２は、フレーム構成およびスロット構成の一例を示す模式図である。
【００３３】
図２に示すように、各フレームは、４８０００ｂｉｔの領域を有し、１０ｍｓ（ミリ秒）周期、４.８Ｍｂｐｓのビットレートであり、２４スロットに分割される。したがって、各スロットは、２０００ｂｉｔ＝２５０ｂｙｔｅの領域を有し、０.４１６ｍｓ周期、４.８Ｍｂｐｓのビットレートである。以下の説明において、１フレームを構成する２４個のスロットは、前方から順に、第０〜第２３のスロット（ＳＬ０〜ＳＬ２３）と称する。
【００３４】
各スロットは、５２ｂｙｔｅのガードスペース（Ｇｕａｒｄ）、４ｂｙｔｅのプリアンブルフィールド、２ｂｙｔｅのシンクフィールド（Ｓｙｎｃ）、３２ｂｙｔｅの制御データフィールド、１６０ｂｙｔｅのユーザデータフィールドに分けられている。
【００３５】
ガードスペースは、伝播遅延時間差やクロックジッタ等によるスロットの衝突を避けるための時間である。プリアンブルフィールドには、所定のユニークパターンを有するプリアンブルデータ（後述）が付加される。シンクフィールドには、所定のシンクパターンが付加される。制御データフィールドには、後続のユーザデータフィールドに格納されるデータに関する制御データが付加される。ユーザデータフィールドには、映像データおよび音声データが付加される。
【００３６】
各フレームを構成するスロット群には、複数のデータスロットと、同期スロットとが含まれる。データスロットは、映像データや音声データ等を格納するためのスロットである。同期スロットは、通信の同期を取るためのスロットであり、かつ、上記複数のデータスロットを定義するスロット管理情報を格納するためのスロットである。
【００３７】
図３は、同期スロットの位置および構成の一例を示す模式図である。
【００３８】
図３に示すように、同期スロットは、第０のスロット（ＳＬ０）であり、各フレームの先頭に位置する。同期スロットは、例えばユーザデータ領域の先頭部分に配置された、４８ｂｙｔｅから成るスロット管理情報を含む。スロット管理情報は、第０〜第２３のスロットに対応する第０〜第２３のスロット情報から成る。各スロット情報は、４ｂｉｔのＳＲＣ領域、４ｂｉｔのＤＳＴ領域、および８ｂｉｔのＩｎｆｏ領域から成る。
【００３９】
ＳＲＣ領域は、対応するスロットに格納される情報の送信元の端末の識別情報（送信元ＩＤ）を記述するための領域である。ＤＳＴ領域は、対応するスロットに格納される情報の送信先の端末の識別情報（送信先ＩＤ）を記述するための領域である。Ｉｎｆｏ領域は、対応するスロットに格納されるユーザデータのコンテンツ種別を記述するための領域である。
【００４０】
すなわち、スロット管理情報は、データスロット毎に、当該スロットをどの端末が使用して情報の送信を行う事ができるか、および、当該スロットで送信された情報をどの端末が受信して処理すべきかという、スロットの使用権限を示す。このようなスロット管理情報は、第１のドアホン親機３００ａにより全端末に報知される。各端末は、受信したスロット管理情報に従って動作する。これにより、複数の端末は、時分割で通信を行う事ができる。
【００４１】
第１の通信ネットワーク１２０ａと第２の通信ネットワーク１２０ｂとを接続した場合、例えば、第１の玄関子機２００ａ−１で撮影された映像は、第２の通信ネットワーク１２０ｂにも転送され、第２のドアホン親機３００ｂで表示させる事が可能である。
【００４２】
しかしながら、例えば、第２の玄関子機２００ｂ−１で撮影された映像も、第１の通信ネットワーク１２０ａに転送される事になり、このような転送が不要である場合には、第１の通信ネットワーク１２０ａの通信資源が不必要に消費される事になる。
【００４３】
そこで、ドアホンシステム１００は、フレーム番号が偶数（０、２、４、・・・）の通信フレーム（以下「偶数フレーム」という）の同期スロットと、フレーム番号が奇数（１、３、５、・・・）の通信フレーム（以下「奇数フレーム」という）の同期スロットとに、異なる機能を持たせる。
【００４４】
具体的には、第１のドアホン親機３００ａは、偶数フレームのスロット管理情報により、第１の通信ネットワーク１２０ａの各端末の送受信タイミングを定義する。そして、第１のドアホン親機３００ａは、奇数フレームのスロット管理情報により、第２の通信ネットワーク１２０ｂの各端末の送受信タイミングを定義する。これにより、ドアホンシステム１００は、第１の通信ネットワーク１２０ａと第２の通信ネットワーク１２０ｂとの間で、異なるスロット割り当てを行う事ができる。
【００４５】
但し、第１のドアホン親機３００ａは、偶数フレームであるか奇数フレームであるかに依らず、全ての同期スロット（のスロット管理情報）を、第１の通信ネットワーク１２０ａおよび第２の通信ネットワーク１２０ｂの両方に送信する。そして、各端末は、どのスロット管理情報に準拠すべきかを、各スロット管理情報の内容（後述の指定端末送信スロットに対する割当内容）に基づいて判断する。以下の説明において、あるフレームのスロット管理情報が示す各データスロットの使用権限に対して準拠すべき端末は、当該フレームの「指定端末」という。
【００４６】
例えば、ドアホンシステム１００は、フレーム毎に、第１９〜第２２のスロット（ＳＬ１９〜ＳＬ２２、図３参照）を、そのフレームの指定端末が送信を行うためのデータスロット（以下「指定端末送信スロット」という）として確保している。指定端末送信スロットの位置（スロット番号）は、全ての端末において周知である。
【００４７】
第１のドアホン親機３００ａは、指定端末送信フレームを、偶数フレームでは第１の通信ネットワーク１２０ａの各機器に、奇数フレームでは第２の通信ネットワーク１２０ｂの各端末に、それぞれ割り当てる。各端末は、受信したフレームのスロット管理情報の第１９〜第２２のスロットについての送信元ＩＤに、その端末のＩＤが含まれているか否かを判定する事により、その端末が、受信したフレームの指定端末であるか否かを判定する。
【００４８】
そして、各端末は、あるフレーム（以下「第１のフレーム」という）の指定端末に該当するとき、第１のフレームにおいて第１のフレームのスロット管理情報が示す使用権限に従って動作する。また、各端末は、第１のフレームの指定端末に該当せず、かつ、過去に受信した他のフレーム（例えば、１つ前のフレーム。以下、「第２のフレーム」という）の指定端末に該当するとき、第１のフレームにおいて第２のフレームのスロット管理情報が示す使用権限に従って動作する。
【００４９】
すなわち、第１の通信ネットワーク１２０ａの各端末は、全てのフレームにおいて、偶数フレームのスロット管理情報に従って動作する。そして、第２の通信ネットワーク１２０ｂの各端末は、全てのフレームにおいて、奇数フレームのスロット管理情報に従って動作する。
【００５０】
更に、各ドアホン親機３００は、スロット管理情報の各スロットの送信元ＩＤおよび送信先ＩＤの組が、第１の通信ネットワーク１２０ａと第２の通信ネットワーク１２０ｂのいずれかの中で閉じているか否かに応じて、通信ケーブル１１１を介して送受信を行うか否かを決定する。すなわち、各ドアホン親機３００は、スロット毎に、情報を第１の通信ネットワーク１２０ａと第２の通信ネットワーク１２０ｂとの間で共有するか否かに応じて、第１の通信ネットワーク１２０ａと第２の通信ネットワーク１２０ｂとの間の接続／遮断を制御する。
【００５１】
これにより、ドアホンシステム１００は、第１の通信ネットワーク１２０ａと第２の通信ネットワーク１２０ｂとの間で共有すべき情報の共有を可能にしつつ、それぞれ異なる内容の世帯内通信を同時に行う事を可能にする。すなわち、ドアホンシステム１００は、情報の共有化と通信資源利用の最適化とを両立させる事ができる。
【００５２】
＜各端末の構成＞
次に、ドアホンシステム１００の各端末の構成について説明する。
＜玄関子機の構成＞
図４は、玄関子機２００の構成の一例を示すブロック図である。
【００５３】
図４に示すように、玄関子機２００は、キー入力部２１１、スピーカ２１２、マイク２１３、音声Ｉ／Ｆ（インターフェイス）部２１４、およびカメラ部２１５を有する。また、玄関子機２００は、ケーブル接続部２２１、受信ドライバ２２２、同期検出部２２３、第２クロック生成部２２４、送信データ処理部２２５、送信ドライバ２２６、および制御部２３０を有する。制御部２３０は、内部に、第１クロック生成部２３１、データ再生部２３２、およびパケット生成部２３３を有する。
【００５４】
キー入力部２１１は、呼出ボタンを含み、呼出ボタンが操作されたとき、その旨を示す呼出信号を制御部２３０へ出力する。
【００５５】
スピーカ２１２は、音声Ｉ／Ｆ部２１４から出力されたアナログ音声データを、音声に変換して出力する。
【００５６】
マイク２１３は、周囲の音声を集音してアナログ音声データに変換し、音声Ｉ／Ｆ部２１４へ出力する。
【００５７】
音声Ｉ／Ｆ部２１４は、制御部２３０から出力されたデジタル音声データを、アナログ音声データに変換し、信号レベルを調整して、スピーカ２１２へ出力する。また、音声Ｉ／Ｆ部２１４は、マイク２１３から出力されたアナログ音声データを、信号レベルを調整し、デジタル音声データに変換して、制御部２３０へ出力する。かかるアナログ／デジタル変換は、Ａ／Ｄ，Ｄ／Ａ変換器（図示せず）により行われる。
【００５８】
なお、音声Ｉ／Ｆ部２１４は、マイク２１３から出力されたアナログ音声データをデジタル変換したデータに対して、所定の音声圧縮処理を行って得られるデータを、デジタル音声データとして制御部２３０へ出力してもよい。また、音声Ｉ／Ｆ部２１４は、制御部２３０から出力されたデジタル音声データが所定の音声圧縮処理を行って得られたデータである場合、当該データに対して所定の音声伸張処理を行ってから、デジタル／アナログ変換を行う。
【００５９】
カメラ部２１５は、デジタルカメラを含み、玄関の映像を撮影し、デジタル映像データを生成して、制御部２３０へ出力する。なお、カメラ部２１５は、エンコーダモジュールを搭載していてもよい。すなわち、カメラ部２１５は、デジタルカメラから出力された映像データに対してＨ.２６４等の所定の動画圧縮処理を行って得られるデータを、デジタル映像データとして制御部２３０へ出力してもよい。
【００６０】
ケーブル接続部２２１は、２線ケーブルである通信ケーブル２０１（図１参照）用の接続端子を含み、通信ケーブル２０１の一端と、受信ドライバ２２２および送信ドライバ２２６との間を、信号を伝送可能な状態で接続する。
【００６１】
受信ドライバ２２２は、ドアホン親機３００から送信された下り信号を、ケーブル接続部２２１を介して受信する。そして、受信ドライバ２２２は、制御部２３０から出力される切り替え制御信号（ＳＷ  ＣＯＮ）によって指示された受信区間において、下り信号を、同期検出部２２３、第２クロック生成部２２４、およびデータ再生部２３２へ出力する。
【００６２】
同期検出部２２３は、第１クロック生成部２３１から出力される第１周波数のクロック（ＣＬＫ）を使用し、受信ドライバ２２２から出力された下り信号に含まれるプリアンブルデータを用いて、ドアホン親機３００との同期（受信データの各ビットの先頭のタイミング）を検出する。そして、同期検出部２２３は、プリアンブルデータのユニークパターンを検出したタイミングで、クロック出力開始の基準となるトリガ信号を第２クロック生成部２２４へ出力し、データ再生動作を許可するイネーブル信号（ＳＳＣＳ）をデータ再生部２３２へ出力する。
【００６３】
第２クロック生成部２２４は、同期検出部２２３から指示されたタイミングで、第１クロック生成部２３１から出力される第１周波数のクロック（ＣＬＫ）を基準に、受信データのビットレートに対応する第２周波数（例えば、４.８ＭＨｚ）のクロック（ＳＳＣＫ）を生成する。そして、第２クロック生成部２２４は、生成したクロックを、逐次、データ再生部２３２へ出力する。
【００６４】
送信データ処理部２２５は、パケット生成部２３３からイネーブル信号（ＳＳＣＳ）を入力すると、パケット生成部２３３から出力される第２周波数のクロック（ＳＳＣＫ）を使用し、パケット生成部２３３から出力された上りパケットのデータに対して変調処理を行って上り信号を生成する。そして、送信データ処理部２２５は、生成した上り信号を、送信ドライバ２２６へ出力する。
【００６５】
送信ドライバ２２６は、制御部２３０から出力される切り替え制御信号（ＳＷ  ＣＯＮ）によって指示された送信区間において、上り信号を、ケーブル接続部２２１を介してドアホン親機３００に送信する。
【００６６】
制御部２３０は、玄関子機２００の各部の制御を行う。また、制御部２３０は、送信を許可する送信区間、および、受信を許可する受信区間を指示する切り替え制御信号（ＳＷ  ＣＯＮ）を、送信ドライバ２２６および受信ドライバ２２２へ出力する。また、制御部２３０は、キー入力部２１１から出力された呼出信号を、ドアホン親機３００へ転送する。
【００６７】
制御部２３０の第１クロック生成部２３１は、受信データをサンプリングするためのクロックであって、水晶発振を基準に、受信データのビットレートのｎ倍（ｎは１以上）に対応する第１周波数（例えば、４８ＭＨｚ（ｎ＝１０））のクロック（ＣＬＫ）を生成する。そして、第１クロック生成部２３１は、生成したクロックを、逐次、同期検出部２２３および第２クロック生成部２２４へ出力する。
【００６８】
制御部２３０のデータ再生部２３２は、同期検出部２２３からイネーブル信号（ＳＳＣＳ）を入力すると、第２クロック生成部２２４から出力された第２周波数のクロック（ＳＳＣＫ）を使用し、受信ドライバ２２２から出力された下り信号を復調する。これにより、データ再生部２３２は、スロット管理情報および下りパケットを取得する。そして、データ再生部２３２は、下りパケットに含まれるデジタル音声データを音声Ｉ／Ｆ部２１４へ出力する。
【００６９】
制御部２３０のパケット生成部２３３は、映像付き通話を実現するための上りパケットを生成する。具体的には、パケット生成部２３３は、音声Ｉ／Ｆ部２１４から出力されたデジタル音声データおよびカメラ部２１５から出力されたデジタル映像データを適宜分割して各スロットのユーザデータフィールドに書き込み、制御データを各スロットの制御データフィールドに書き込む。更に、パケット生成部２３３は、各スロットに、プリアンブルデータおよびシンクパターンを書き込み、上りパケット（送信データ）を生成する。更に、パケット生成部２３３は、送信用のイネーブル信号（ＳＳＣＳ）および送信用の第２周波数（例えば、４.８ＭＨｚ）のクロック（ＳＳＣＫ）を生成する。そして、パケット生成部２３３は、上りパケットを、送信用のイネーブル信号（ＳＳＣＳ）およびクロック（ＳＳＣＫ）と同期させて、送信データ処理部２２５へ出力する。
【００７０】
但し、制御部２３０は、上述の通り、あるフレームの指定端末に玄関子機２００が該当するか否かを判定し、玄関子機２００を指定端末とするフレームのスロット管理情報（図３参照）が示す使用権限に従って動作する。上記判定は、例えば、データ再生部２３２において、玄関子機２００の端末ＩＤを取得（保持）し、受信した同期スロットに、指定端末送信スロットの送信元ＩＤに当該端末ＩＤが含まれるか否かを判定する事により行われる。
【００７１】
そして、制御部２３０は、スロット管理情報に基づいて、玄関子機２００が受信を行うべき受信区間（受信スロット）および玄関子機２００が送信を行うべき送信区間（送信スロット）を特定する。そして、制御部２３０は、特定した受信区間において受信を行い、特定した送信区間において送信を行うように、切り替え制御信号（ＳＷ  ＣＯＮ）の出力およびデータ再生部２３２とパケット生成部２３３の動作を制御する。
【００７２】
このような構成により、玄関子機２００は、玄関子機２００を指定端末とするフレームのスロット管理情報に従って、時分割複信による各種データの送受信を行う事ができる。
【００７３】
＜ドアホン親機の構成＞
次に、ドアホン親機３００の構成について説明する。
【００７４】
図５は、ドアホン親機３００の構成の一例を示すブロック図である。
【００７５】
図５に示すように、ドアホン親機３００は、キー入力部３１１、スピーカ３１２、マイク３１３、音声Ｉ／Ｆ部３１４、およびディスプレイ部３１５を有する。また、ドアホン親機３００は、ケーブル接続部３２１、受信ドライバ３２２、ルーティング制御部３２３、同期検出部３２４、第２クロック生成部３２５、送信データ処理部３２６、送信ドライバ３２７、および制御部３３０を有する。制御部３３０は、内部に、第１クロック生成部３３１、データ再生部３３２、パケット生成部３３３、動作設定部３３４、および接続制御部３３５を有する。なお、ドアホン親機３００は、ケーブル接続部３２１、受信ドライバ３２２、および送信ドライバ３２７の組を、Ｎ組（Ｎは自然数、本実施の形態では４）有している。
【００７６】
キー入力部３１１は、応答ボタンを含み、応答ボタンが操作されたとき、その旨を示す信号を制御部３３０へ出力する。
【００７７】
スピーカ３１２は、音声Ｉ／Ｆ部３１４から出力されたアナログ音声データを、音声に変換して出力する。
【００７８】
マイク３１３は、周囲の音声を集音してアナログ音声データに変換し、音声Ｉ／Ｆ部３１４へ出力する。
【００７９】
音声Ｉ／Ｆ部３１４は、制御部３３０から出力されたデジタル音声データを、アナログ音声データに変換し、信号レベルを調整して、スピーカ３１２へ出力する。また、音声Ｉ／Ｆ部３１４は、マイク３１３から出力されたアナログ音声データを、信号レベルを調整し、デジタル音声データに変換して、制御部３３０へ出力する。かかるアナログ／デジタル変換は、Ａ／Ｄ，Ｄ／Ａ変換器（図示せず）により行われる。
【００８０】
なお、音声Ｉ／Ｆ部３１４は、マイク３１３から出力されたアナログ音声データをデジタル変換したデータに対して、所定の音声圧縮処理を行って得られるデータを、デジタル音声データとして制御部３３０へ出力してもよい。また、音声Ｉ／Ｆ部３１４は、制御部３３０から出力されたデジタル音声データが所定の音声圧縮処理を行って得られたデータである場合、当該データに対して所定の音声伸張処理を行ってから、デジタル／アナログ変換を行う。
【００８１】
ディスプレイ部３１５は、タッチパネル付き液晶ディスプレイを含み、制御部３３０から出力されたデジタル映像データを再生し、玄関の映像を表示する。なお、制御部３３０から出力されたデジタル映像データが所定の動画圧縮処理を行って得られたデータである場合、当該データに対して所定の動画伸張処理を行って、映像表示を行う。
【００８２】
ケーブル接続部３２１−ｉ（ｉは１からＮまでのいずれかの整数）は、２線ケーブルである通信ケーブル２０１、４０１，１１１（図１参照）用の接続端子を含む。ケーブル接続部３２１−ｉは、通信ケーブル２０１、４０１、１１１の一端と、送信ドライバ３２７−ｉおよび受信ドライバ３２２−ｉとの間を、信号を伝送可能な状態で接続する。図５では、ケーブル接続部３２１−１が、他のドアホン親機３００に接続されている場合を例示している。
【００８３】
受信ドライバ３２２−ｉは、玄関子機２００、増設モニタ４００、あるいは他のドアホン親機３００から送信された信号を、ケーブル接続部３２１−ｉを介して受信する。そして、受信ドライバ３２２−ｉは、制御部３３０から出力される切り替え制御信号（ＳＷ  ＣＯＮ）によって指示された受信区間において、受信信号を、ルーティング制御部３２３へ出力する。
【００８４】
ルーティング制御部３２３は、他の端末から送信され、受信ドライバ３２２−ｉから出力された受信信号をルーティングする。すなわち、ルーティング制御部３２３は、受信信号がドアホン親機３００宛である場合、同期検出部３２４、第２クロック生成部３２５、およびデータ再生部３３２へ出力し、受信信号が他の端末宛である場合、対応する送信ドライバ３２７−ｉへ出力する。また、ルーティング制御部３２３は、送信データ処理部３２６から出力された他の端末宛の送信信号を、対応する送信ドライバ３２７−ｉへ出力する。
【００８５】
同期検出部３２４は、第１クロック生成部３３１から出力される第１周波数のクロック（ＣＬＫ）を使用し、ルーティング制御部３２３から出力された受信信号に含まれるプリアンブルデータを用いて、玄関子機２００との同期（受信データの各ビットの先頭のタイミング）を検出する。そして、同期検出部３２４は、プリアンブルデータのユニークパターンを検出したタイミングで、クロック出力開始の基準となるトリガ信号を第２クロック生成部３２５へ出力し、データ再生動作を許可するイネーブル信号（ＳＳＣＳ）をデータ再生部３３２へ出力する。
【００８６】
第２クロック生成部３２５は、同期検出部３２４から指示されたタイミングで、第１クロック生成部３３１から出力される第１周波数のクロック（ＣＬＫ）を基準に、受信データのビットレートに対応する第２周波数（例えば、４.８ＭＨｚ）のクロック（ＳＳＣＫ）を生成する。そして、第２クロック生成部３２５は生成したクロックを、逐次、データ再生部３３２へ出力する。
【００８７】
送信データ処理部３２６は、パケット生成部３３３からイネーブル信号（ＳＳＣＳ）を入力すると、パケット生成部３３３から出力された第２周波数のクロック（ＳＳＣＫ）を使用し、パケット生成部３３３から出力された下りパケットのデータに対して変調処理を行って送信信号を生成する。そして、送信データ処理部３２６は、生成した送信信号を、ルーティング制御部３２３へ出力する。
【００８８】
送信ドライバ３２７−１は、制御部３３０から出力される切り替え制御信号（ＳＷ  ＣＯＮ）によって指示された送信区間において、ルーティング制御部３２３から出力された送信信号を、ケーブル接続部３２１−１を介して他のドアホン親機３００に送信する。送信ドライバ３２７−ｉ（この場合、ｉは１以外）は、制御部３３０から出力される切り替え制御信号（ＳＷ  ＣＯＮ）によって指示された送信区間において、ルーティング制御部３２３から出力された送信信号を、ケーブル接続部３２１−ｉを介して玄関子機２００あるいは増設モニタ４００へ送信する。
【００８９】
制御部３３０は、ドアホン親機３００の各部の制御を行う。また、制御部３３０は、送信を許可する送信区間、および、受信を許可する受信区間を指示する切り替え制御信号（ＳＷ  ＣＯＮ）を各送信ドライバ３２７−ｉ、各受信ドライバ３２２−ｉおよびルーティング制御部３２３へ出力する。
【００９０】
制御部３３０の第１クロック生成部３３１は、受信データをサンプリングするためのクロックであって、水晶発振を基準に、受信データのビットレートのｎ倍に対応する第１周波数（例えば、４８ＭＨｚ（ｎ＝１０））のクロック（ＣＬＫ）を生成する。そして、第１クロック生成部３３１は、生成したクロックを、逐次、同期検出部３２４および第２クロック生成部３２５へ出力する。
【００９１】
制御部３３０のデータ再生部３３２は、同期検出部３２４からイネーブル信号（ＳＳＣＳ）を入力すると、第２クロック生成部３２５から出力された第２周波数のクロック（ＳＳＣＫ）を使用し、ルーティング制御部３２３から出力された受信信号を復調して受信パケットを取得する。そして、データ再生部３３２は、受信パケットに含まれるデジタル音声データを音声Ｉ／Ｆ部３１４へ出力し、受信パケットに含まれるデジタル映像データをディスプレイ部３１５へ出力する。
【００９２】
但し、制御部３３０は、上述の通り、あるフレームの指定端末にドアホン親機３００が該当するか否かを判定し、ドアホン親機３００を指定端末とするフレームのスロット管理情報（図３参照）が示す使用権限に従って動作する。かかる判定は、例えば、データ再生部３３２において、ドアホン親機３００の端末ＩＤを取得（保持）し、受信／送信された同期スロットに、指定端末送信スロットの送信元ＩＤに当該端末ＩＤが含まれるか否かを判定する事により行われる。
【００９３】
そして、制御部３３０は、スロット管理情報に基づいて、ドアホン親機３００が受信を行うべき受信区間（受信スロット）およびドアホン親機３００が送信を行うべき送信区間（送信スロット）を特定する。そして、制御部３３０は、特定した受信区間において受信を行い、特定した送信区間において送信を行うように、切り替え制御信号（ＳＷ  ＣＯＮ）の出力およびデータ再生部３３２とパケット生成部３３３の動作を制御する。
【００９４】
制御部３３０のパケット生成部３３３は、映像付き通話を実現するための下りパケットを生成する。具体的には、パケット生成部３３３は、音声Ｉ／Ｆ部３１４から出力されたデジタル音声データを適宜分割して各スロットのユーザデータフィールドに書き込み、制御データを各スロットの制御データフィールドに書き込む。更に、パケット生成部３３３は、各スロットに、プリアンブルデータおよびシンクパターンを書き込み、下りパケット（送信データ）を生成する。更に、パケット生成部３３３は、送信用のイネーブル信号（ＳＳＣＳ）および送信用の第２周波数（例えば、４.８ＭＨｚ）のクロック（ＳＳＣＫ）を生成する。そして、パケット生成部３３３は、下りパケットを、送信用のイネーブル信号（ＳＳＣＳ）およびクロック（ＳＳＣＫ）と同期させて、送信データ処理部３２６へ出力する。
【００９５】
また、パケット生成部３３３は、他の端末の動作に関する制御情報を、送信データ処理部３２６へ出力してもよい。かかる制御情報には、例えば、ドアホン親機３００から玄関子機２００のカメラ動作（データレート、パン、チルト、ライト、シャッター、およびフィルター等の動作）が含まれる。また、かかる制御情報には、玄関子機２００に備えられた各種センサデバイスの動作を、ドアホン親機３００から制御するための制御信号が含まれる。更に、かかる制御情報には、玄関子機２００に備えられた無線通信回路等（図示せず）を介して屋外に配置されたデバイス（門の電子鍵等）の動作を制御するための制御情報が含まれる。
【００９６】
なお、ケーブル接続部３２１−１、受信ドライバ３２２−１、ルーティング制御部３２３、送信ドライバ３２７−１は、第１の通信ネットワーク１２０ａと第２の通信ネットワーク１２０ｂとを接続するためのネットワーク接続部と捉える事ができる。
【００９７】
制御部３３０の動作設定部３３４は、所定のイベントが発生したとき、当該イベントに応じて、各データスロットを情報の送信元となるべき端末に割り当てる。例えば、玄関子機２００からの呼出信号をドアホン親機３００が受信したとき、動作設定部３３４は、第３〜第９のスロット（ＳＬ３〜ＳＬ９）を、第１の玄関子機２００ａのストリーミング送信用に割り当てる。そして、動作設定部３３４は、呼出信号に応答したとき、第１および第２のスロットを、ドアホン親機３００と玄関子機２００の音声通信用に割り当てる。また、動作設定部３３４は、各データスロットの情報の送信先を決定する。そして、動作設定部３３４は、割り当て結果に基づいて、スロット管理情報（図３参照）を生成する。
【００９８】
動作設定部３３４は、例えば、イベントの種別毎に、各スロットの送信元ＩＤおよび送信先ＩＤの組の設定パターンを予め保持している。かかる設定パターンは、例えば、上述のタッチパネル付き液晶ディスプレイを介して、各端末で得られた情報を他のいずれの端末へ送信するかを指定する操作をユーザから受け付ける事により、取得される。動作設定部３３４は、発生したイベントに対応する設定パターンに基づいて、スロット管理情報を生成する。
【００９９】
このとき、動作設定部３３４は、偶数フレームの指定端末送信スロットを、第１の通信ネットワーク１２０ａの複数の端末に割り当て、奇数フレームの指定端末送信スロットを、第２の通信ネットワーク１２０ｂの複数の端末に割り当てる。そして、動作設定部３３４は、一方の通信ネットワーク１２０で送信された情報を、他方の通信ネットワーク１２０にも転送する場合、フレームのデータスロットの送信元ＩＤおよび送信先ＩＤを、第１の通信ネットワーク１２０ａと第２の通信ネットワーク１２０ｂとに跨いで設定する。あるいは、動作設定部３３４は、かかる場合、送信先ＩＤの代わりに全世帯に送信する旨の情報を設定する。また、動作設定部３３４は、一方の通信ネットワーク１２０で送信された情報を、他方の通信ネットワーク１２０には転送しない場合、フレームのデータスロットの送信元ＩＤおよび送信先ＩＤを、第１の通信ネットワーク１２０ａと第２の通信ネットワーク１２０ｂとに跨がずに設定する。あるいは、動作設定部３３４は、かかる場合、送信先ＩＤの代わりに世帯内に送信する旨の情報を設定する。
【０１００】
すなわち、制御部３３０の動作設定部３３４は、スロット毎に、当該スロットに格納される情報を第１の通信ネットワーク１２０ａと第２の通信ネットワーク１２０ｂとの間で共有するか否かを示す、共有／非共有を設定する。
【０１０１】
例えば、スロット情報に、送信先ＩＤとして、「全同報」や、所属する通信ネットワーク１２０が送信元とは異なる端末の端末ＩＤを設定する事は、対応するスロットに「共有」を設定する事に相当する。また、例えば、スロット情報に、送信先ＩＤとして、「世帯内同報」や、所属する通信ネットワーク１２０が送信元と同一の端末の端末ＩＤを設定する事は、対応するスロットに「非共有」を設定する事に相当する。なお、動作設定部３３４は、同期スロットに対しては、常に、「全同報」、つまり、共有を設定する。
【０１０２】
そして、動作設定部３３４は、スロット管理情報を、接続制御部３３５へ通知する。また、動作設定部３３４は、スロット管理情報をパケット生成部３３３へ出力し、同期スロット(図３参照)に格納して報知させる。
【０１０３】
接続制御部３３５は、スロット毎に、受信／送信されたスロット管理情報が示す共有／非共有の設定内容に従って、ネットワーク接続部による第１の通信ネットワーク１２０ａと第２の通信ネットワーク１２０ｂとの間の接続／遮断を制御する。
【０１０４】
すなわち、接続制御部３３５は、フレームのデータスロット毎に、その送信元ＩＤおよび送信先ＩＤが、第１の通信ネットワーク１２０ａと第２の通信ネットワーク１２０ｂとに跨いで設定されているか否かを判定する。そして、接続制御部３３５は、送信元ＩＤおよび送信先ＩＤが通信ネットワーク１２０間で跨いで設定されているスロットにおいて、その通信の方向に応じて、送信ドライバ３２７−１および受信ドライバ３２２−１を動作させる。また、接続制御部３３５は、送信元ＩＤおよび送信先ＩＤが通信ネットワーク１２０間で跨がずに設定されているスロットにおいて、送信ドライバ３２７−１および受信ドライバ３２２−１をイネーブルにする。なお、他のドアホン親機３００が、同じスロットにおいて受信ドライバ３２２−１をイネーブルにする場合、接続制御部３３５は、受信ドライバ３２２−１のみをイネーブルにしてもよい。
【０１０５】
このような構成により、ドアホン親機３００は、第１の通信ネットワーク１２０ａと第２の通信ネットワーク１２０ｂとの間で異なるスロット割り当てを行う事ができる。また、ドアホン親機３００は、スロット毎に、情報を第１の通信ネットワーク１２０ａと第２の通信ネットワーク１２０ｂとの間で共有するか否かに応じて、他のドアホン親機３００との間の接続／遮断を制御する事ができる。
【０１０６】
＜増設モニタの構成＞
図６は、増設モニタ４００の構成の一例を示すブロック図である。
【０１０７】
図６に示すように、増設モニタ４００は、キー入力部４１１、スピーカ４１２、マイク４１３、音声Ｉ／Ｆ部４１４、およびディスプレイ部４１５を有する。また、増設モニタ４００は、ケーブル接続部４２１、受信ドライバ４２２、同期検出部４２３、第２クロック生成部４２４、送信データ処理部４２５、送信ドライバ４２６、および制御部４３０を有する。制御部４３０は、内部に、第１クロック生成部４３１、データ再生部４３２、およびパケット生成部４３３を有する。
【０１０８】
キー入力部４１１は、呼出ボタンを含み、呼出ボタンが操作されたとき、その旨を示す呼出信号を制御部４３０へ出力する。
【０１０９】
スピーカ４１２は、音声Ｉ／Ｆ部４１４から出力されたアナログ音声データを、音声に変換して出力する。
【０１１０】
マイク４１３は、周囲の音声を集音してアナログ音声データに変換し、音声Ｉ／Ｆ部４１４へ出力する。
【０１１１】
音声Ｉ／Ｆ部４１４は、制御部４３０から出力されたデジタル音声データを、アナログ音声データに変換し、信号レベルを調整して、スピーカ４１２へ出力する。また、音声Ｉ／Ｆ部４１４は、マイク４１３から出力されたアナログ音声データを、信号レベルを調整し、デジタル音声データに変換して、制御部４３０へ出力する。かかるアナログ／デジタル変換は、Ａ／Ｄ，Ｄ／Ａ変換器（図示せず）により行われる。
【０１１２】
なお、音声Ｉ／Ｆ部４１４は、マイク４１３から出力されたアナログ音声データをデジタル変換したデータに対して、所定の音声圧縮処理を行って得られるデータを、デジタル音声データとして制御部４３０へ出力してもよい。また、音声Ｉ／Ｆ部４１４は、制御部４３０から出力されたデジタル音声データが所定の音声圧縮処理を行って得られたデータである場合、当該データに対して所定の音声伸張処理を行ってから、デジタル／アナログ変換を行う。
【０１１３】
ディスプレイ部４１５は、液晶ディスプレイを含み、制御部４３０から出力されたデジタル映像データを再生し、玄関の映像を表示する。なお、制御部４３０から出力されたデジタル映像データが所定の動画圧縮処理を行って得られたデータである場合、当該データに対して所定の動画伸張処理を行って、映像表示を行う。
【０１１４】
ケーブル接続部４２１は、２線ケーブルである通信ケーブル４０１（図１参照）用の接続端子を含み、通信ケーブル４０１の一端と、受信ドライバ４２２および送信ドライバ４２６との間を、信号を伝送可能な状態で接続する。
【０１１５】
受信ドライバ４２２は、ドアホン親機３００から送信された下り信号を、ケーブル接続部４２１を介して受信する。そして、受信ドライバ４２２は、制御部４３０から出力される切り替え制御信号（ＳＷ  ＣＯＮ）によって指示された受信区間において、下り信号を、同期検出部４２３、第２のクロック生成部４２４、および送信データ処理部４２５へ出力する。
【０１１６】
同期検出部４２３は、第１クロック生成部４３１から出力される第１周波数のクロック（ＣＬＫ）を使用し、受信ドライバ４２２から出力された下り信号に含まれるプリアンブルデータを用いてドアホン親機３００との同期（受信データの各ビットの先頭のタイミング）を検出する。そして、同期検出部４２３は、プリアンブルデータのユニークパターンを検出したタイミングで、クロック出力開始の基準となるトリガ信号を第２クロック生成部４２４へ出力し、データ再生動作を許可するイネーブル信号（ＳＳＣＳ）をデータ再生部４３２へ出力する。
【０１１７】
第２クロック生成部４２４は、同期検出部４２３から指示されたタイミングで、第１クロック生成部４３１から出力された第１周波数のクロック（ＣＬＫ）を基準に、受信データのビットレートに対応する第２周波数（例えば、４.８ＭＨｚ）のクロック（ＳＳＣＫ）を生成する。そして、第２クロック生成部４２４は、生成したクロックを、逐次、データ再生部４３２へ出力する。
【０１１８】
送信データ処理部４２５は、パケット生成部４３３からイネーブル信号（ＳＳＣＳ）を入力すると、パケット生成部４３３から出力された第２周波数のクロック（ＳＳＣＫ）を使用し、パケット生成部４３３から出力された上りパケットのデータに対して変調処理を行って上り信号を生成する。そして、送信データ処理部４２５は、生成した上り信号を、送信ドライバ４２６へ出力する。
【０１１９】
送信ドライバ４２６は、制御部４３０から出力される切り替え制御信号（ＳＷ  ＣＯＮ）によって指示された送信区間において、上り信号を、ケーブル接続部４２１を介してドアホン親機３００へ送信する。
【０１２０】
制御部４３０は、増設モニタ４００の各部の制御を行う。また、制御部４３０は、送信を許可する送信区間、および、受信を許可する受信区間を指示する切り替え制御信号（ＳＷ  ＣＯＮ）を、送信ドライバ４２６および受信ドライバ４２２へ出力する。また、制御部２３０は、キー入力部４１１から出力された呼出信号を、ドアホン親機３００へ転送する。
【０１２１】
制御部４３０の第１クロック生成部４３１は、受信データをサンプリングするためのクロックであって、水晶発振を基準に、受信データのビットレートのｎ倍に対応する第１周波数（例えば、４８ＭＨｚ（ｎ＝１０））のクロック（ＣＬＫ）を生成する。そして、第１クロック生成部４３１は、生成したクロックを、逐次、同期検出部４２３および第２クロック生成部４２４へ出力する。
【０１２２】
制御部４３０のデータ再生部４３２は、同期検出部４２３からイネーブル信号（ＳＳＣＳ）を入力すると、第２クロック生成部４２４から出力された第２周波数のクロック（ＳＳＣＫ）を使用し、受信ドライバ４２２から出力された下り信号を復調する。これにより、データ再生部４３２は、スロット管理情報および下りパケットを取得する。そして、データ再生部４３２は、下りパケットに含まれるデジタル映像データをディスプレイ部４１５へ出力し、下りパケットに含まれるデジタル音声データを音声Ｉ／Ｆ部４１４へ出力する。
【０１２３】
制御部４３０のパケット生成部４３３は、映像付き通話を実現するための上りパケットを生成する。具体的には、パケット生成部４３３は、音声Ｉ／Ｆ部４１４から出力されたデジタル音声データを適宜分割して各スロットのユーザデータフィールドに書き込み、制御データを各スロットの制御データフィールドに書き込む。更に、パケット生成部４３３は、各スロットに、プリアンブルデータ、シンクパターンを書き込み、上りパケット（送信データ）を生成する。更に、パケット生成部４３３は、送信用のイネーブル信号（ＳＳＣＳ）および送信用の第２周波数（例えば、４.８ＭＨｚ）のクロック（ＳＳＣＫ）を生成する。そして、パケット生成部４３３は、上りパケットを、送信用のイネーブル信号（ＳＳＣＳ）およびクロック（ＳＳＣＫ）と同期させて、送信データ処理部４２５へ出力する。
【０１２４】
但し、制御部４３０は、上述の通り、あるフレームの指定端末に増設モニタ４００が該当するか否かを判定し、増設モニタ４００を指定端末とするフレームのスロット管理情報（図３参照）が示す使用権限に従って動作する。かかる判定は、例えば、データ再生部４３２において、増設モニタ４００の端末ＩＤを取得（保持）し、受信した同期スロットに、指定端末送信スロットの送信元ＩＤに当該端末ＩＤが含まれるか否かを判定する事により行われる。
【０１２５】
そして、制御部４３０は、スロット管理情報に基づいて、増設モニタ４００が受信を行うべき受信区間（受信スロット）および増設モニタ４００が送信を行うべき送信区間（送信スロット）を特定する。そして、制御部４３０は、特定した受信区間において受信を行い、特定した送信区間において送信を行うように、切り替え制御信号（ＳＷ  ＣＯＮ）の出力およびデータ再生部４３２とパケット生成部４３３の動作を制御する。
【０１２６】
このような構成により、増設モニタ４００は、増設モニタ４００を指定端末とするフレームのスロット管理情報に従って、時分割複信による各種データの送受信を行う事ができる。
【０１２７】
なお、玄関子機２００、ドアホン親機３００、および増設モニタ４００は、図示しないが、例えば、ＣＰＵ（Central Processing Unit）、制御プログラムを格納したＲＯＭ（Read Only Memory）等の記憶媒体、ＲＡＭ（Random Access Memory）等の作業用メモリ、および通信回路をそれぞれ有する。この場合、上記した各部の機能は、ＣＰＵが制御プログラムを実行する事により実現される。
【０１２８】
以上のような構成により、ドアホンシステム１００は、第１のドアホンシステム１１０ａの第１の通信ネットワーク１２０ａと、第２のドアホンシステム１１０ｂの第２の通信ネットワーク１２０ｂとの間を、転送の要否に応じて接続／遮断を適宜切り替える事ができる。
【０１２９】
図７は、ドアホンシステム１００のネットワーク構成を概念的に示す図である。
【０１３０】
図７に示すように、ドアホンシステム１００は、第１の通信ネットワーク１２０ａと、第２の通信ネットワーク１２０ｂと、これらを接続するためのネットワーク接続部１３０とを有する。各通信ネットワーク１２０は、対応するドアホン親機３００の、ケーブル接続部３２１−２〜３２１−Ｎ、受信ドライバ３２２−２〜３２２−Ｎ、送信ドライバ３２７−２〜３２７−Ｎ、ルーティング制御部３２３、および制御部３３０に対応する。また、ネットワーク接続部１３０は、通信ケーブル１１１（図１参照）と、各ドアホン親機３００の、ケーブル接続部３２１−１、受信ドライバ３２２−１、および送信ドライバ３２７−１（図５参照）とに対応する。
【０１３１】
ケーブル接続部３２１は、第１の通信ネットワーク１２０ａと第２の通信ネットワーク１２０ｂとの間の接続／遮断を切り替える、仮想的なスイッチ１３１、１３２を有している。スイッチ１３１は、例えば、第１のドアホン親機３００ａの送信ドライバ３２７−１に対応し、スイッチ１３２は、例えば、第２のドアホン親機３００ｂの送信ドライバ３２７−１に対応する。すなわち、第１のドアホン親機３００ａの接続制御部３３５および第２のドアホン親機３００ｂの接続制御部３３５（図５参照）により、第１の通信ネットワーク１２０ａと第２の通信ネットワーク１２０ｂとの間の接続／遮断が制御される。
【０１３２】
なお、ここでは、スイッチ１３１が、第１のドアホン親機３００ａの送信ドライバ３２７−１に対応し、スイッチ１３２が、第２のドアホン親機３００ｂの送信ドライバ３２７−１に対応する例を示したが、かかる内容に限定されない。すなわち、スイッチ１３１は、第１のドアホン親機３００ａの受信ドライバ３２２−１に対応してもよいし、送信ドライバ３２７−１および受信ドライバ３２２−１の双方に対応してもよい。同様に、スイッチ１３２は、第２のドアホン親機３００ｂの受信ドライバ３２２−１に対応してもよいし、送信ドライバ３２７−１および受信ドライバ３２２−１の双方に対応してもよい。
【０１３３】
＜各装置の動作＞
次に、各装置の動作について説明する。
【０１３４】
図５で説明した動作設定部３３４は、例えば、一方のドアホン親機３００にのみ備えられていてもよい。すなわち、一方のドアホン親機３００が、全てのフレームのスロット管理情報の生成および送信を行ってもよい。ここでは、第１のドアホン親機３００ａが、かかるスロット管理情報の生成および送信を行う装置（以下「マスタ親機」という）であり、第２のドアホン親機３００ｂが、かかるスロット管理情報の生成および送信を行わない装置（以下「スレーブ親機」という）であるものとする。
【０１３５】
また、各端末から見て、当該端末が属するドアホンシステム１１０あるいは通信ネットワーク１２０は、「自世帯」といい、当該端末が属さないドアホンシステム１１０あるいは通信ネットワーク１２０は、「他世帯」という。更に、各端末から見て、当該端末は、「自端末」といい、当該端末以外の端末は、「他端末」という。
【０１３６】
＜ドアホン親機の動作＞
まず、ドアホン親機３００の動作について説明する。ここでは、ドアホン親機の動作のうち、各種データの通信主体（端末）としての動作以外の動作について説明する。
【０１３７】
図８は、ドアホン親機３００の動作の一例を示すフローチャートである。
【０１３８】
ステップＳ１１００において、制御部３３０は、自端末がマスタ親機であるか否かを判定する。制御部３３０は、自端末がマスタ親機（本実施の形態では、第１のドアホン親機３００ａ）である場合（Ｓ１１００：ＹＥＳ）、処理をステップＳ１２００へ進める。また、制御部３３０は、自端末がスレーブ親機（本実施の形態では、第２のドアホン親機３００ｂ）である場合（Ｓ１１００：ＮＯ）、処理をステップＳ１４００へ進める。
【０１３９】
ステップＳ１２００において、制御部３３０は、マスタ親機としてドアホンシステム１００の動作を制御するための処理である、マスタ親機処理を実行する。マスタ親機処理の詳細については、後述する。
【０１４０】
ステップＳ１４００において、制御部３３０は、スレーブ親機としてマスタ親機からの制御を受けて動作するための処理である、スレーブ親機処理を実行する。スレーブ親機処理の詳細については、後述する。
【０１４１】
なお、ドアホン親機３００が、マスタ親機としてのみ動作する、あるいは、スレーブ親機としてのみ動作するように設定あるいは構成されている場合、上記判定処理は省略する事ができる。
【０１４２】
図９は、マスタ親機処理の一例を示すフローチャートである。
【０１４３】
ステップＳ１２１０において、動作設定部３３４は、データ再生部３３２により受信信号から再生された情報に基づき、スレーブ親機あるいは自世帯内の端末から同期要求を受信したか否かを判定する。動作設定部３３４は、同期要求を受信した場合（Ｓ１２１０：ＹＥＳ）、処理を後述のステップＳ１２３０へ進める。また、動作設定部３３４は、同期要求を受信していない場合（Ｓ１２１０：ＮＯ）、処理をステップＳ１２２０へ進める。
【０１４４】
ステップＳ１２２０において、動作設定部３３４は、データ再生部３３２により受信信号から再生された情報に基づき、所定のイベントが発生したか否かを判定する。所定のイベントとは、例えば、同期が確立した後の、自世帯の玄関子機２００からの呼出信号の受信である。動作設定部３３４は、所定のイベントが発生した場合（Ｓ１２２０：ＹＥＳ）、処理をステップＳ１２３０へ進める。また、動作設定部３３４は、所定のイベントが発生していない場合（Ｓ１２２０：ＮＯ）、処理を後述のステップＳ１２９０へ進める。
【０１４５】
ステップＳ１２３０において、動作設定部３３４は、偶数フレーム用の（つまり自世帯用の）スロット管理情報と、奇数フレーム用の（つまり他世帯用の）スロット管理情報とを決定して、処理をステップＳ１２４０へ進める。この際、動作設定部３３４は、スレーブ親機から各スロットにおいて世帯内通信を行うか全世帯通信を行うかの通知を受けた場合、かかる通知の内容に基づいて、スロット管理情報を決定する。また、動作設定部３３４は、所定のイベントが発生している場合、かかるイベント（の種別）に応じて、スロット管理情報を決定する。
【０１４６】
ステップＳ１２４０において、パケット生成部３３３は、偶数フレームと奇数フレームのうち、偶数フレームのタイミングが到来したか否かを判定する。パケット生成部３３３は、偶数フレームのタイミングが到来した場合（Ｓ１２４０：ＹＥＳ）、処理をステップＳ１２５０へ進める。また、パケット生成部３３３は、奇数フレームのタイミングが到来した場合（Ｓ１２４０：ＮＯ）、処理を後述のステップＳ１２６０へ進める。
【０１４７】
ステップＳ１２５０において、パケット生成部３３３は、自世帯内の（つまり第１の通信ネットワーク１２０ａ内の）端末を指定端末とする同期スロットを送信して、処理を後述のステップＳ１２７０へ進める。
【０１４８】
ステップＳ１２６０において、パケット生成部３３３は、他世帯内の（つまり第２の通信ネットワーク１２０ｂ内の）端末を指定端末とする同期スロットを送信して、処理をステップＳ１２７０へ進める。
【０１４９】
ステップＳ１２７０において、制御部３３０は、現在のフレームの最後まで、送信された同期スロットのスロット管理情報に従って、各部を制御して転送処理（ルーティング）を行う。このとき、制御部３３０の接続制御部３３５は、データスロット毎に、第１の通信ネットワーク１２０ａと第２の通信ネットワーク１２０ｂとの間の接続／遮断を制御する。
【０１５０】
ステップＳ１２８０において、制御部３３０は、ドアホンシステム１００における通信の同期を終了するか否かを決定する。制御部３３０は、例えば、いずれかの端末から通信終了を示す制御信号を受信したとき、通信の同期を終了すると決定する。制御部３３０は、同期を終了しない場合（Ｓ１２８０：ＮＯ）、処理をステップＳ１２４０へ戻す。また、制御部３３０は、同期を終了する場合（Ｓ１２８０：ＹＥＳ）、処理をステップＳ１２９０へ進める。
【０１５１】
ステップＳ１２９０において、制御部３３０は、ユーザ操作等により、マスタ親機処理の終了を指示されたかを判定する。制御部３３０は、マスタ親機処理の終了を指示されていない場合（Ｓ１２９０：ＮＯ）、処理をステップＳ１２１０へ戻す。また、制御部３３０は、マスタ親機処理の終了を指示された場合（Ｓ１２９０：ＹＥＳ）、一連の処理を終了する。なお、処理終了となるのは、例えば電源オフの操作が行われた場合である。
【０１５２】
このような動作により、マスタ親機は、ドアホンシステム１００の動作を制御する事ができる。
【０１５３】
図１０は、スレーブ親機処理の一例を示すフローチャートである。
【０１５４】
ステップＳ１４１０において、動作設定部３３４は、データ再生部３３２により受信信号から再生された情報に基づき、自世帯内で所定のイベントが発生したか否かを判定する。所定のイベントとは、例えば、自世帯の玄関子機２００からの呼出信号の受信である。動作設定部３３４は、自世帯内で所定のイベントが発生した場合（Ｓ１４１０：ＹＥＳ）、処理をステップＳ１４２０へ進める。また、動作設定部３３４は、自世帯内で所定のイベントが発生していない場合（Ｓ１４１０：ＮＯ）、処理を後述のステップＳ１４３０へ進める。
【０１５５】
ステップＳ１４２０において、動作設定部３３４は、マスタ親機へ同期要求を送信して、処理をステップＳ１４３０へ進める。かかる送信は、例えば、パケット生成部３３３を使用して行われる。また、この際、動作設定部３３４は、各スロットにおいて世帯内通信を行うか全世帯通信を行うかを通知し、マスタ親機との間で各スロットの共有／非共有の設定についてネゴシエーションを行う。
【０１５６】
ステップＳ１４３０において、動作設定部３３４は、データ再生部３３２により受信信号から再生された情報に基づき、マスタ親機から同期スロットを受信したか否かを判定する。動作設定部３３４は、マスタ親機から同期スロットを受信した場合（Ｓ１４３０：ＹＥＳ）、処理をステップＳ１４４０へ進める。また、動作設定部３３４は、マスタ親機から同期スロットを受信していない場合（Ｓ１４３０：ＮＯ）、処理を後述のステップＳ１４７０へ進める。
【０１５７】
ステップＳ１４４０において、制御部３３０は、現在のフレームの最後まで、受信された同期スロットのスロット管理情報に従って、各部を制御して転送処理（ルーティング）を行う。このとき、制御部３３０の接続制御部３３５は、データスロット毎に、第１の通信ネットワーク１２０ａと第２の通信ネットワーク１２０ｂとの間の接続／遮断を制御する。
【０１５８】
ステップＳ１４５０において、動作設定部３３４は、ステップＳ１４３０と同様に、マスタ親機から同期スロットを受信したか否かを判定する。動作設定部３３４は、マスタ親機から同期スロットを受信した場合（Ｓ１４５０：ＹＥＳ）、処理をステップＳ１４４０へ戻す。また、動作設定部３３４は、マスタ親機から同期スロットを受信していない場合（Ｓ１４５０：ＮＯ）、処理をステップＳ１４６０へ進める。
【０１５９】
ステップＳ１４６０において、制御部３３０は、ドアホンシステム１００における通信の同期を終了するか否かを決定する。制御部３３０は、例えば、いずれかの端末から通信終了を示す制御信号を受信したとき、通信の同期を終了すると決定する。制御部３３０は、同期を終了しない場合（Ｓ１４６０：ＮＯ）、処理をステップＳ１４５０へ戻す。また、制御部３３０は、同期を終了する場合（Ｓ１４６０：ＹＥＳ）、処理をステップＳ１４７０へ進める。
【０１６０】
ステップＳ１４７０において、制御部３３０は、ユーザ操作等により、スレーブ親機処理の終了を指示されたかを判定する。制御部３３０は、スレーブ親機処理の終了を指示されていない場合（Ｓ１４７０：ＮＯ）、処理をステップＳ１４１０へ戻す。また、制御部３３０は、スレーブ親機処理の終了を指示された場合（Ｓ１４７０：ＹＥＳ）、一連の処理を終了する。なお、処理終了となるのは、例えば電源オフの操作が行われた場合である。
【０１６１】
このような動作により、スレーブ親機は、マスタ親機からの制御を受けて動作する事ができる。
【０１６２】
＜各端末の動作＞
次に、玄関子機２００、ドアホン親機３００、および増設モニタの、各種データの通信主体としての動作について説明する。各端末は、各種データの通信主体としての動作を実現する、端末通信処理を実行する。
【０１６３】
図１１は、端末通信処理の一例を示すフローチャートである。
【０１６４】
ステップＳ１６１０において、端末の制御部（２３０、３３０、４３０）は、端末において、呼出操作や応答操作等の所定の操作が行われたか否かを判定する。制御部は、所定の操作が行われた場合（Ｓ１６１０：ＹＥＳ）、処理をステップＳ１６２０へ進める。また、制御部は、所定の操作が行われていない場合（Ｓ１６１０：ＮＯ）、処理を後述のステップＳ１６３０へ進める。
【０１６５】
ステップＳ１６２０において、制御部は、制御信号の送信により、自世帯のドアホン親機３００に対して所定の操作が行われた事を通知し、処理をステップＳ１６３０へ進める。なお、端末がドアホン親機３００である場合、かかる送信は不要である。
【０１６６】
ステップＳ１６３０において、制御部は、フレームの同期スロットを受信あるいは送信したか否か、つまり、スロット管理情報を受信／送信したか否かを判定する。制御部は、スロット管理情報を受信／送信した場合（Ｓ１６３０：ＹＥＳ）、処理をステップＳ１６４０へ進める。また、制御部は、スロット管理情報を受信／送信していない場合（Ｓ１６３０：ＮＯ）、処理を後述のステップＳ１６９０へ進める。
【０１６７】
ステップＳ１６４０において、制御部は、今回受信／送信されたフレームが自端末を指定端末としているか否か、つまり、スロット管理情報に記述された指定端末送信スロットのいずれかの送信元ＩＤが、自端末の端末ＩＤと一致するか否かを判定する。制御部は、フレームが自端末を指定端末としている場合（Ｓ１６４０：ＹＥＳ）、処理をステップＳ１６５０へ進める。また、制御部は、フレームが自端末を指定端末としていない場合（Ｓ１６４０：ＮＯ）、処理を後述のステップＳ１６６０へ進める。
【０１６８】
ステップＳ１６５０において、制御部は、今回受信／送信されたスロット管理情報に従って１フレーム分の動作を行い、処理を後述のステップＳ１６７０へ進める。すなわち、制御部は、送信元として自端末が設定されたスロットにおいて、データの送信を行い、送信先として自端末が設定されたスロットにおいて、データの受信を行う。また、制御部は、今回受信／送信されたスロット管理情報の内容を、１フレーム分の動作の終了後もメモリ等に保持（記憶）しておく。
【０１６９】
ステップＳ１６６０において、制御部は、過去に受信／送信されたフレームのうち、自端末を指定端末とするフレームのスロット管理情報に従って１フレーム分の動作を行い、処理をステップＳ１６７０へ進める。なお、制御部は、該当するフレームが受信／送信されていない場合、そのまま処理をステップＳ１６７０へ進める。
【０１７０】
ステップＳ１６７０において、制御部は、データ制御部３３０は、ユーザにより通話終了操作が行われる等して、通信処理の終了を指示されたか否かを判定する。制御部は、処理の終了を指示されていない場合（Ｓ１６７０：ＮＯ）、処理をステップＳ１６３０へ戻し、次のフレームの処理へと移る。また、制御部３３０は、通信処理の終了を指示された場合（Ｓ１６７０：ＹＥＳ）、処理をステップＳ１６８０へ進める。
【０１７１】
ステップＳ１６８０において、制御部は、制御信号の送信等により、通信の終了を各ドアホン親機３００へ通知する。
【０１７２】
ステップＳ１６９０において、制御部は、ユーザ操作等により、端末通信処理の終了を指示されたかを判定する。制御部は、端末通信処理の終了を指示されていない場合（Ｓ１６９０：ＮＯ）、処理をステップＳ１６１０へ戻す。また、制御部は、端末通信処理の終了を指示された場合（Ｓ１６９０：ＹＥＳ）、一連の処理を終了する。
【０１７３】
このような動作により、各端末は、マスタ親機から送信されるスロット管理情報のうち、自端末を指定端末とするフレームのスロット管理情報に従って、動作する事ができる。
【０１７４】
＜ドアホンシステムの動作＞
最後に、ドアホンシステム１００の動作について説明する。
【０１７５】
図１２は、いずれかの第１の玄関子機２００ａで呼出操作が行われとき、第１の通信ネットワークで送信される情報を第２の通信ネットワークと共有しない、という内容の設定がされている場合の、ドアホンシステム１００の動作の一例を示すシーケンス図である。なお、一部の端末についての図示および説明を省略する。
【０１７６】
非同期状態（イベント待機状態）において（Ｓ２０１０）、第１の玄関子機２００ａで呼出ボタンの操作（呼キー押下）が行われると（Ｓ２０２０）、第１の玄関子機２００ａは、呼出信号、つまり、同期要求を、第１のドアホン親機３００ａへと送信する（Ｓ２０３０）。すると、第１のドアホン親機３００ａは、各データスロットの情報を第１の通信ネットワーク１２０ａと第２の通信ネットワーク１２０ｂとの間で非共有とする内容の同期スロット（スロット管理情報）を送信する。これにより、第１のドアホン親機３００ａは、世帯内通信である事（自世帯でのみ伝送する事）を各端末へ通知する（Ｓ２０４０）。この結果、第１の通信ネットワーク１２０ａと第２の通信ネットワーク１２０ｂとの間の同期は確立し、第１のドアホン親機３００ａおよび第２のドアホン親機３００ｂは、世帯１（第１の通信ネットワーク１２０ａ）で世帯内通信を行う事を、互いに認識する（Ｓ２０５０）。
【０１７７】
そして、第１のドアホン親機３００ａは、他世帯へはデータを送信しないように設定して（Ｓ２０６０）、画像接続要求を第１の玄関子機２００ａへ送信する（Ｓ２０７０）。すなわち、第１のドアホン親機３００ａは、第２のドアホン親機３００ｂへの送信を行う送信ドライバ３２７−１を、データスロットにおいてイネーブルにする。
【０１７８】
第１の玄関子機２００ａは、画像接続確認を返信して（Ｓ２０８０）、画像データ（映像データ）を同報送信する（Ｓ２０９０）。但し、この画像データは、他世帯（第２の通信ネットワーク１２０ｂ）へは転送されない。そして、第１の玄関子機２００ａと第１のドアホン親機３００ａを含む第１の通信ネットワーク１２０ａでは、第１の通信ネットワーク１２０ａで閉じられたドアホン通信状態（世帯内通信）が開始される（Ｓ２１００）。
【０１７９】
図１３は、図１２に示すように第１の通信ネットワーク１２０ａで閉じられたドアホン通信状態（世帯内通信）が開始された後に、いずれかの第２の玄関子機２００ｂで呼出操作が行われ場合の、ドアホンシステム１００の動作の一例を示すシーケンス図である。
【０１８０】
第１の通信ネットワーク１２０ａで閉じられたドアホン通信状態（世帯内通信）が行われているときにおいて（Ｓ３０１０）、第２の玄関子機２００ｂで呼出ボタンの操作（呼キー押下）が行われたとする（Ｓ３０２０）。すると、第２の玄関子機２００ｂは、呼出信号、つまり、同期要求を、第２のドアホン親機３００ｂへと送信する（Ｓ３０３０）。すると、第２のドアホン親機３００ｂは、第２の玄関子機２００ｂと第２のドアホン親機３００ｂを含む第２の通信ネットワーク１２０ｂで閉じられたドアホン通信状態（世帯内通信）を開始する事を、第１のドアホン親機３００ａへ通知する（Ｓ３０４０）。かかる通知は、例えば、第２のドアホン親機３００ｂに割り当てられた指定端末送信スロットを使用して行われる。
【０１８１】
この結果、第１のドアホン親機３００ａおよび第２のドアホン親機３００ｂは、それぞれが世帯内通信を行う事を、互いに認識する（Ｓ３０５０）。そして、第１の通信ネットワーク１２０ａでは、第１の通信ネットワーク１２０ａで閉じられたドアホン通信状態（世帯内通信）が継続される（Ｓ３０７０）。第２のドアホン親機３００ｂは、他世帯へはデータを送信しないように設定して（Ｓ３０６０）、画像接続要求を第２の玄関子機２００ｂへ送信（転送）する（Ｓ３０８０）。すなわち、第２のドアホン親機３００ｂは、第１のドアホン親機３００ａへの送信を行う送信ドライバ３２７−１を、データスロットにおいてイネーブルにする。
【０１８２】
第２の玄関子機２００ｂは、画像接続確認を返信して（Ｓ３０９０）、画像データ（映像データ）を同報送信する（Ｓ３１００）。但し、この画像データは、他世帯（第１の通信ネットワーク１２０ａ）へは転送されない。そして、第２の玄関子機２００ｂと第２のドアホン親機３００ｂを含む第２の通信ネットワーク１２０ｂでは、第２の通信ネットワーク１２０ｂで閉じられたドアホン通信状態（世帯内通信）が開始される（Ｓ３１１０）。
【０１８３】
図１４は、いずれかの第１の玄関子機２００ａで呼出操作が行われとき、第１の通信ネットワークで送信される情報を第２の通信ネットワークと共有する、という内容の設定がされている場合の、ドアホンシステム１００の動作の一例を示すシーケンス図である。なお、一部の端末についての図示および説明を省略する。
【０１８４】
非同期状態（イベント待機状態）において（Ｓ４０１０）、第１の玄関子機２００ａで呼出ボタンの操作（呼キー押下）が行われると（Ｓ４０２０）、第１の玄関子機２００ａは、呼出信号、つまり、同期要求を、第１のドアホン親機３００ａへと送信する（Ｓ４０３０）。すると、第１のドアホン親機３００ａは、各データスロットの情報を第１の通信ネットワーク１２０ａと第２の通信ネットワーク１２０ｂとの間で共有とする内容の同期スロット（スロット管理情報）を送信。これにより、第１のドアホン親機３００ａは、両世帯通信である事（両システムで伝送する事）を各端末へ通知する（Ｓ４０４０）。第１の通信ネットワーク１２０ａと第２の通信ネットワーク１２０ｂとの間の同期は確立し、第１のドアホン親機３００ａおよび第２のドアホン親機３００ｂは、両世帯通信を行う事（送受信データを共有する事）を、互いに認識する（Ｓ４０５０）。
【０１８５】
そして、第１のドアホン親機３００ａは、他世帯にもデータを送信するように設定して（Ｓ４０６０）、画像接続要求を第１の玄関子機２００ａへ送信する（Ｓ４０７０）。すなわち、第１のドアホン親機３００ａは、第２のドアホン親機３００ｂへの送信を行う送信ドライバ３２７−１を、データスロットにおいても他の送信ドライバ３２７−２〜３２７−Ｎと同様に動作させる。また、第２のドアホン親機３００ｂは、他世帯からデータを受信するように設定する（Ｓ４０８０）。
【０１８６】
第１の玄関子機２００ａは、画像接続確認を返信して（Ｓ４０９０）、画像データ（映像データ）を同報送信する（Ｓ４１００）。この画像データは、他世帯（第２の通信ネットワーク１２０ｂ）へも転送され、例えば、第２のドアホン親機３００ｂで第１の玄関子機２００ａの周辺の映像が表示される。そして、第１の通信ネットワーク１２０ａおよび第２の通信ネットワーク１２０ｂの全体でのドアホン通信状態（両世帯通信）が開始される（Ｓ４１１０）。
【０１８７】
このような動作により、ドアホンシステム１００は、世帯内通信と両世帯通信との両方を実現する事ができる。
【０１８８】
＜本実施の形態の効果＞
以上のように、本実施の形態に係るドアホンシステム１００は、第１の玄関子機２００ａおよび第１のドアホン親機３００ａを含む第１の通信ネットワーク１２０ａと、第２の玄関子機２００ｂおよび第２のドアホン親機３００ｂを含む第２の通信ネットワーク１２０ｂと、を含む。但し、第１の通信ネットワーク１２０ａおよび第２の通信ネットワーク１２０ｂは、時分割複信による通信を行う通信ネットワークである。そして、ドアホンシステム１００は、第１の通信ネットワーク１２０ａと第２の通信ネットワーク１２０ｂとを接続するためのネットワーク接続部１３０を有する。また、ドアホンシステム１００は、スロット毎に、当該スロットに格納される情報を第１の通信ネットワーク１２０ａと第２の通信ネットワーク１２０ｂとの間で共有するか否かを示す、共有／非共有を設定する動作設定部３３４を有する。更に、ドアホンシステム１００は、共有／非共有の設定内容に従って、ネットワーク接続部１３０による第１の通信ネットワーク１２０ａと第２の通信ネットワーク１２０ｂとの間の接続／遮断を制御する接続制御部３３５を有する。
【０１８９】
これにより、本実施の形態に係るドアホンシステム１００は、不要な通信資源の消費を抑えつつ、第１の通信ネットワーク１２０ａと第２の通信ネットワーク１２０ｂとで情報を共有する事を可能にするため、複数世帯の利用において利便性の向上を図る事ができる。
【０１９０】
また、本実施の形態に係るドアホンシステム１００において、第１の通信ネットワーク１２０ａおよび第２の通信ネットワーク１２０ｂは、それぞれ、先頭に同期スロットを含むフレームを使用して通信を行う。そして、動作設定部３３４は、少なくとも同期スロットに対し、共有を設定する。
【０１９１】
これにより、本実施の形態に係るドアホンシステム１００は、第１の通信ネットワーク１２０ａおよび第２の通信ネットワーク１２０ｂの全ての端末で、通信の同期を取る事ができる。
【０１９２】
また、本実施の形態に係るドアホンシステム１００において、第１の通信ネットワーク１２０ａおよび第２の通信ネットワーク１２０ｂは、それぞれ、データを格納するための複数のデータスロットを含むフレームを使用して通信を行う。また、動作設定部３３４は、同期スロットを、第１の通信ネットワーク１２０ａの複数の端末および第２の通信ネットワーク１２０ｂの複数の端末のそれぞれに送信する。かかる同期スロットは、フレームの各スロットに対する共有／非共有の設定内容および使用権限と、当該使用権限に準拠すべき端末である指定端末と、を示すスロット管理情報を格納している。そして、各端末は、第１のフレームの指定端末に該当するとき、第１のフレームにおいて第１のフレームの使用権限に従って動作し、第１のフレームの指定端末に該当せず、かつ、過去に受信した第２のフレームの指定端末に該当するとき、第１のフレームにおいて第２のフレームの前記使用権限に従って動作する。
【０１９３】
これにより、本実施の形態に係るドアホンシステム１００は、第１の通信ネットワーク１２０ａと第２の通信ネットワーク１２０ｂとで、異なる内容の通信を、同じスロットを使用して（同時に）行う事ができる。
【０１９４】
＜本実施の形態の変形例＞
なお、各通信ネットワークの通信方式は、上述の例に限定されない。例えば、各端末は、ＬＡＮ（Local Area Network）ケーブルにより接続され、時分割複信を行ってもよい。
【０１９５】
また、各通信ネットワーク１２０の端末の個数や配置、および、接続される通信ネットワーク１２０の数は、上述の例に限定されない。例えば、各ドアホンシステムに玄関子機２００とドアホン親機３００とが１台ずつのみであってもよいし、３世帯以上の世帯のドアホンシステム１１０が接続されていてもよい。
【０１９６】
また、ネットワーク接続部１３０、動作設定部３３４、接続制御部３３５の機能を発揮する装置部は、必ずしもドアホン親機３００に配置されていなくてもよい。例えば、これらの装置部は、第１のドアホン親機３００ａと第２のドアホン親機３００ｂとを接続する通信ケーブル１１１上に配置された別の装置に設けられていてもよい。
【０１９７】
また、スロット管理情報の対象となる端末を（第１の通信ネットワーク１２０ａと第２の通信ネットワーク１２０ｂとの間で）切り替えるタイミングは、上述の例に限定されない。例えば、動作設定部３３４は、第１の通信ネットワーク１２０ａの複数の端末のそれぞれを指定端末とする同期スロットと、第２通信ネットワーク１２０ｂの複数の端末のそれぞれを指定端末とする同期スロットと、を複数のフレーム毎に切り替えて送信してもよい。また、その送信間隔は、第１の通信ネットワーク１２０ａと第２の通信ネットワーク１２０ｂとの間で異なっていてもよい。
【０１９８】
また、各端末において、どのスロット管理情報に準拠して動作すべきかを判定する手法は、上述の例に限定されない。例えば、各端末は、フレーム番号、時刻、その他の時間に応じて変化する情報に基づいて、フレーム毎に、どのスロット管理情報に準拠して動作すべきかを判定してもよい。
【０１９９】
また、以上説明した各装置の構成の一部は、当該装置の構成の他の部分と物理的に離隔していてもよい。この場合、それらの構成は、互いに通信を行うための通信部をそれぞれ備える必要がある。
【０２００】
（実施の形態２）
本発明の実施の形態２は、複数のドアホン親機のいずれもドアホンシステムの動作を制御できるようにした例である。
【０２０１】
本実施の形態に係るドアホンシステムおよび各装置の構成は、実施の形態１と同様であるため、その図示および説明を省略する。但し、本実施の形態に係る各ドアホン親機３００の動作は、実施の形態１と異なる。具体的には、第１のドアホン親機３００ａおよび第２のドアホン親機３００ｂの両方が、スロット管理情報の生成および送信を行う。本実施の形態においては、スロット管理情報を送信するか否かによらず、適宜、第１のドアホン親機３００ａを「マスタ親機」と称し、第２のドアホン親機３００ｂを、「スレーブ親機」と称する。
【０２０２】
図１５は、本実施の形態におけるマスタ親機処理の一例を示すフローチャートであり、実施の形態１の図９に対応するものである。図９と同一部分には同一ステップ番号を付し、これについての説明を省略する。
【０２０３】
動作設定部３３４は、同期要求を受信した場合（Ｓ１２１０：ＹＥＳ）、あるいは、所定のイベントが発生した場合（Ｓ１２２０：ＹＥＳ）、処理をステップＳ１２３１へ進める。
【０２０４】
ステップＳ１２３１において、動作設定部３３４は、偶数フレーム用の（つまり自世帯用の）スロット管理情報のみを決定して、処理をステップＳ１２４０へ進める。
【０２０５】
そして、パケット生成部３３３は、奇数フレームのタイミングが到来した場合（Ｓ１２４０：ＮＯ）、処理をステップＳ１２６１へ進める。
【０２０６】
ステップＳ１２６１において、他世帯内の（つまり第２の通信ネットワーク１２０ｂ内の）端末を指定端末とする同期スロットをスレーブ端末から受信して、処理をステップＳ１２７０へ進める。
【０２０７】
このような動作により、マスタ親機は、偶数フレームにおいて、ドアホンシステム１００の動作を制御し、奇数フレームにおいて、スレーブ親機からの制御を受けて動作する事ができる。
【０２０８】
図１６は、本実施の形態におけるスレーブ親機処理の一例を示すフローチャートであり、実施の形態１の図１０に対応するものである。図１０と同一部分には同一ステップ番号を付し、これについての説明を省略する。
【０２０９】
動作設定部３３４は、マスタ親機から同期スロットを受信した場合（Ｓ１４３０：ＹＥＳ）、処理をステップＳ１４３１へ進める。
【０２１０】
ステップＳ１４３１において、動作設定部３３４は、奇数フレーム用の（つまり自世帯用の）スロット管理情報を決定する。
【０２１１】
ステップＳ１４３２において、パケット生成部３３３は、偶数フレームと奇数フレームのうち、奇数フレームのタイミングが到来したか否かを判定する。パケット生成部３３３は、奇数フレームのタイミングが到来した場合（Ｓ１４３２：ＹＥＳ）、処理をステップＳ１４３３へ進める。また、パケット生成部３３３は、偶数フレームのタイミングが到来した場合（Ｓ１４３２：ＮＯ）、処理を後述のステップＳ１４３４へ進める。
【０２１２】
ステップＳ１４３３において、パケット生成部３３３は、自世帯内の（つまり第２の通信ネットワーク１２０ｂ内の）端末を指定端末とする同期スロットを送信して、処理をステップＳ１４４０へ進める。
【０２１３】
ステップＳ１４３４において、パケット生成部３３３は、他世帯内の（つまり第１の通信ネットワーク１２０ａ内の）端末を指定端末とする同期スロットを送信して、処理をステップＳ１４４０へ進める。
【０２１４】
このような動作により、スレーブ親機は、偶数フレームにおいて、マスタ親機からの制御を受けて動作し、奇数フレームにおいて、ドアホンシステム１００の動作を制御する事ができる。
【０２１５】
図１７は、各スロットの機能の一例を示す模式図である。
【０２１６】
図１７に示すように、偶数フレームの同期スロット（ＳＬ０）は、世帯１親機（第１のドアホン親機３００ａ）のスロット管理情報の送信に使用される。そして、かかる送信により、世帯１（第１の通信ネットワーク１２０ａ）内の各端末に第１〜第２３のスロット（ＳＬ１〜ＳＬ２３）の使用ルールが通知される。
【０２１７】
例えば、偶数フレームで送信されるスロット管理情報は、第１〜第３のスロット（ＳＬ１〜ＳＬ３）を世帯１のみで使用し、第４〜第２３のスロット（ＳＬ４〜ＳＬ２３）を両世帯（第１および第２の通信ネットワーク１２０ａ、１２０ｂ）に共通で使用する事を定義する。また、偶数フレームで送信されるスロット管理情報は、実施の形態１と同様に、第１の通信ネットワーク１２０ａの各端末を指定端末としている。したがって、第１の通信ネットワーク１２０ａの各端末は、偶数フレームおよび奇数フレームの両方において、偶数フレームで送信されるスロット管理情報に従って動作する。
【０２１８】
また、例えば、奇数フレームで送信されるスロット管理情報は、第１〜第３のスロット（ＳＬ１〜ＳＬ３）を世帯２のみで使用し、第４〜第２３のスロット（ＳＬ４〜ＳＬ２３）を両世帯（第１および第２の通信ネットワーク１２０ａ、１２０ｂ）に共通で使用する事を定義する。また、奇数フレームで送信されるスロット管理情報は、実施の形態１と同様に、第２の通信ネットワーク１２０ｂの各端末を指定端末としている。したがって、第２の通信ネットワーク１２０ｂの各端末は、偶数フレームおよび奇数フレームの両方において、奇数フレームで送信されるスロット管理情報に従って動作する。
【０２１９】
このように、ドアホンシステム１００は、１つのフレームの中で、スロット単位で共有／非共有を設定する事ができる。このような設定は、実施の形態１においても可能である。また、共有／非共有の設定の仕方は、かかる例に限定されるものではない事は勿論である。
【０２２０】
なお、１つのフレームの中に、第１のドアホン親機３００ａがスロット管理情報を送信するのに使用するスロットと、第２のドアホン親機３００ｂがスロット管理情報を送信するのに使用するスロットとを設定する事も考えられる。しかしながら、この場合、１フレームのうち２つのスロットがスロット管理情報の送信に使用される事になる。したがって、本実施の形態のようにフレーム単位で同期スロットの機能を切り替える事により、データ送信に使用できるリソースの減少を防ぐ事ができる。
【０２２１】
図１８は、本実施の形態に係るドアホンシステム１００の動作の一例を示すシーケンス図であり、実施の形態１の図１２〜図１４に対応するものである。
【０２２２】
非同期状態（イベント待機状態）において、（Ｓ５０１０）、玄関子機２００ａにおける呼出ボタン操作等のイベントが世帯１内で発生したとする（Ｓ５０２０）。すると、第１のドアホン親機３００ａは、偶数フレームにおける同期スロット（ＳＬ０）の送信を開始すると共に、かかるイベントの発生を第２のドアホン親機３００ｂを含む各端末へ通知する（Ｓ５０３０）。そして、かかる同期スロットを受信した第２のドアホン親機３００ｂは、第１のドアホン親機３００ａ（世帯１親機）の同期スロットに同期して、奇数フレームにおける同期スロット（ＳＬ０）の送信を開始する（Ｓ５０４０）。
【０２２３】
以降、第１のドアホン親機３００ａは、世帯１（第１の通信ネットワーク１２０ａ）内のイベントや通信状態を、偶数フレームの同期スロット（ＳＬ０）を使用して通知する。そして、第２のドアホン親機３００ｂは、世帯２（第２の通信ネットワーク１２０ｂ）内のイベントや通信状態を、奇数フレームの同期スロット（ＳＬ０）を使用して通知する。すなわち、第１のドアホン親機３００ａおよび第２のドアホン親機３００ｂは、両世帯のシステムを制御する（Ｓ５０５０）。
【０２２４】
例えば、図１７で説明したように、第１のドアホン親機３００ａおよび第２のドアホン親機３００ｂは、第１〜第３のスロット（ＳＬ１〜ＳＬ３）を世帯内の通信に使用し、第４〜第２３のスロット（ＳＬ４〜ＳＬ２３）を両世帯の通信に使用する事を、互いに通知する。また、各ドアホン親機３００は、スロット使用状態に応じて、スロット毎に世帯間の転送（ルーティング）を制御する。この結果、ドアホンシステム１００では、第１〜第３のスロット（ＳＬ１〜ＳＬ３）において世帯内通信が行われ（Ｓ５０６０、Ｓ５０７０）、第４〜第２３のスロット（ＳＬ４〜ＳＬ２３）において両世帯通信が行われる（Ｓ５０８０）。
【０２２５】
このように、本実施の形態に係るドアホンシステム１００において、第１のドアホン親機３００ａの動作設定部３３４（第１の動作設定部）は、所定のフレーム（偶数フレーム）を使用して、各スロットの共有／非共有を設定する。そして、第１のドアホン親機３００ａの接続制御部３３５（第１の接続制御部）は、少なくとも第１のドアホン親機３００ａの動作設定部３３４による共有／非共有の設定内容に従って、通信ネットワーク１２０間の接続／遮断を制御する。
【０２２６】
また、第２のドアホン親機３００ｂの動作設定部３３４（第２の動作設定部）は、上記所定のフレームではない他のフレーム（奇数フレーム）を使用して、各スロットの共有／非共有を設定する。そして、第２のドアホン親機３００ｂの接続制御部３３５（第２の接続制御部）は、少なくとも第２のドアホン親機３００ｂの動作設定部３３４による共有／非共有の設定内容に従って、通信ネットワーク１２０間の接続／遮断を制御する。
【０２２７】
例えば、実施の形態１では、図１３のステップＳ３０４０に示すように、マスタ親機とスレーブ親機との間で、世帯内通信を行うか全世帯通信を行うかについてのネゴシエーションが必要である。この点、本実施の形態に係るドアホンシステム１００は、それぞれの世帯の各端末の動作をそれぞれの親機において独立して制御する事ができ、マスタ親機の処理負荷を軽減し、制御をより簡単なものにする事ができる。
【０２２８】
なお、スロット管理情報の対象となる端末を（第１の通信ネットワーク１２０ａと第２の通信ネットワーク１２０ｂとの間で）切り替えるタイミングは、上述の例に限定されない。例えば、マスタ親機の動作設定部３３４とスレーブ親機の動作設定部３３４は、第１の通信ネットワーク１２０ａの複数の端末のそれぞれを指定端末とする同期スロットと、第２通信ネットワーク１２０ｂの複数の端末のそれぞれを指定端末とする同期スロットと、を複数のフレーム毎に切り替えて送信してもよい。また、その送信間隔は、第１の通信ネットワーク１２０ａと第２の通信ネットワーク１２０ｂとの間で異なっていてもよい。
【０２２９】
また、スレーブ親機側は、マスタ親機に異常が発生した場合にこれを検知し、自ら同期フレームの送信を開始するようにしてもよい。これにより、通信の途中でマスタ親機が同期フレームを送信できない事態となった場合においても、偶数フレームでスロット管理情報を送信する事ができる。すなわち、電源オフ等により第１のドアホン親機３００ａがドアホンシステム１００の動作を制御できなくなった場合でも、第２のドアホン親機３００ｂがドアホンシステム１００の動作を制御する事ができ、両方の通信ネットワーク１２０の動作が停止する可能性を低減する事ができる。
【０２３０】
（実施の形態３）
本発明の実施の形態３に係るドアホンシステムおよび各装置の構成は、実施の形態２と同様であるため、その図示および説明を省略する。但し、本実施の形態に係る各ドアホン親機３００の動作は、実施の形態２と異なる。具体的には、第１のドアホン親機３００ａおよび第２のドアホン親機３００ｂのうち、世帯内で所定のイベントが先に発生した方が、先に同期スロットを送信する。本実施の形態においては、先に同期スロットを送信するドアホン親機３００を、「マスタ親機」と称し、マスタ親機ではないドアホン親機３００を、「スレーブ親機」と称する。
【０２３１】
図１９は、ドアホン親機３００の動作の一例を示すフローチャートであり、実施の形態１の図８〜図１０、並びに、実施の形態２の図１５および図１６に対応するものである。図８〜図１０、図１５、および図１６と同一部分には同一のステップ番号を付し、これについての説明を省略する。
【０２３２】
ドアホン親機３００は、他のドアホン親機３００から同期スロットを受信する前に世帯内で所定のイベントが発生した場合（Ｓ１２２０：ＹＥＳ）、ステップＳ１２３１〜Ｓ１２９０（図１５）の処理を実行する。すなわち、ドアホン親機３００は、フレーム番号「０」から始まる各偶数フレームにおいて、自世帯用の同期スロット（スロット管理情報）を送信する。
【０２３３】
一方、世帯内で所定のイベントが発生する前に、他のドアホン親機３００から同期スロットを受信した場合（Ｓ１２２０：ＮＯ、Ｓ１４３０：ＹＥＳ）、ドアホン親機３００は、ステップＳ１４３１〜Ｓ１４６０（図１６）の処理を実行する。そして、ドアホン親機３００は、同期が終了すると（Ｓ１４６０：ＹＥＳ）、処理をステップＳ１２９０へ進める。この場合、ドアホン親機３００は、最初に、他のドアホン親機３００からフレーム番号「０」のフレームで同期スロットを受信する事になる。したがって、ドアホン親機３００は、フレーム番号「１」から始まる各奇数フレームにおいて、自世帯用の同期スロット（スロット管理情報）を送信する。
【０２３４】
図２０は、本実施の形態に係るドアホンシステム１００の、第１の通信ネットワーク１２０ａにおいて先に所定のイベントが発生した場合の動作の一例を示すシーケンス図であり、実施の形態２の図１８に対応するものである。
【０２３５】
非同期状態（イベント待機状態）において、（Ｓ６０１０）、玄関子機２００ａにおける呼出ボタン操作等のイベントが世帯１内で発生したとする（Ｓ６０２０）。すると、第１のドアホン親機３００ａは、偶数フレームにおける同期スロット（ＳＬ０）の送信を開始すると共に、かかるイベントの発生を第２のドアホン親機３００ｂを含む各端末へ通知する（Ｓ６０３０）。そして、かかる同期スロットを受信した第２のドアホン親機３００ｂは、第１のドアホン親機３００ａ（世帯１親機）の同期スロットに同期して、奇数フレームにおける同期スロット（ＳＬ０）の送信を開始する（Ｓ６０４０）。
【０２３６】
以降、第１のドアホン親機３００ａは、世帯１（第１の通信ネットワーク１２０ａ）内のイベントや通信状態を、偶数フレームの同期スロット（ＳＬ０）を使用して通知する。そして、第２のドアホン親機３００ｂは、世帯２（第２の通信ネットワーク１２０ｂ）内のイベントや通信状態を、奇数フレームの同期スロット（ＳＬ０）を使用して通知する。すなわち、第１のドアホン親機３００ａおよび第２のドアホン親機３００ｂは、両世帯のシステムを制御する（Ｓ６０５０）。
【０２３７】
図２１は、本実施の形態に係るドアホンシステム１００の、第２の通信ネットワーク１２０ｂにおいて先に所定のイベントが発生した場合の動作の一例を示すシーケンス図であり、図２０に対応するものである。
【０２３８】
非同期状態（イベント待機状態）において、（Ｓ７０１０）、玄関子機２００ｂにおける呼出ボタン操作等のイベントが世帯２内で発生したとする（Ｓ７０２０）。すると、第２のドアホン親機３００ｂは、偶数フレームにおける同期スロット（ＳＬ０）の送信を開始すると共に、かかるイベントの発生を第１のドアホン親機３００ａを含む各端末へ通知する（Ｓ７０３０）。そして、かかる同期スロットを受信した第１のドアホン親機３００ａは、第２のドアホン親機３００ｂ（世帯２親機）の同期スロットに同期して、奇数フレームにおける同期スロット（ＳＬ０）の送信を開始する（Ｓ７０４０）。
【０２３９】
以降、第２のドアホン親機３００ｂは、世帯２（第２の通信ネットワーク１２０ｂ）内のイベントや通信状態を、偶数フレームの同期スロット（ＳＬ０）を使用して通知する。そして、第１のドアホン親機３００ａは、世帯１（第１の通信ネットワーク１２０ａ）内のイベントや通信状態を、奇数フレームの同期スロット（ＳＬ０）を使用して通知する。すなわち、第１のドアホン親機３００ａおよび第２のドアホン親機３００ｂは、両世帯のシステムを制御する（Ｓ７０５０）。
【０２４０】
例えば、図２０のケースで、第２のドアホン親機３００ｂが故障あるいは電源オフの状態となっていたとしても、世帯１（第１の通信ネットワーク１２０ａ）内の通信は、第１のドアホン親機３００ａが送信する同期スロット（ＳＬ０）により制御される。また、図２１のケースで、第１のドアホン親機３００ａが故障あるいは電源オフの状態となっていたとしても、世帯２（第２の通信ネットワーク１２０ｂ）内の通信は、第２のドアホン親機３００ｂが送信する同期スロット（ＳＬ０）により制御される。
【０２４１】
このように、本実施の形態に係るドアホンシステム１００において、第１のドアホン親機３００ａが使用するフレーム（所定のフレーム）および第２のドアホン親機３００ｂが使用するフレーム（他のフレーム）は、どちらのドアホン親機３００がフレームを先に送信したかに基づいて定まる。
【０２４２】
これにより、本実施の形態に係るドアホンシステム１００は、通信の同期が確立される前や同期が確立された後に、いずれかの通信ネットワーク１２０のドアホン親機３００の動作が停止した場合でも、他方の通信ネットワーク１２０の動作を開始させる事ができる。そして、動作が停止していたドアホン親機３００が復活した場合に、再同期等の処理を行う事なく、当該ドアホン親機３００が属する通信ネットワーク１２０の動作を開始させる事ができる。すなわち、本実施の形態に係るドアホンシステム１００は、よりロバストな通信を可能にし、複数世帯の利用における利便性を更に向上させる事ができる。
【０２４３】
なお、ドアホン親機３００毎に、どのフレームで（偶数フレームおよび奇数フレームのいずれで）同期スロットの送信を行うかが、予め定められていてもよい。また、同期スロットの送信主体の切り替え間隔が１フレームに限定されるものではなく、複数フレームとしてもよい事は、実施の形態１および実施の形態２と同様である。
【０２４４】
（本開示のまとめ）
本開示のドアホンシステムは、第１の玄関子機および第１のドアホン親機を含む複数の端末を通信主体とし、時分割複信による通信を行う第１の通信ネットワークと、第２の玄関子機および第２のドアホン親機を含む複数の端末を通信主体とし、前記時分割複信による通信を行う第２の通信ネットワークと、前記第１の通信ネットワークと前記第２の通信ネットワークとを接続するためのネットワーク接続部と、スロット毎に、当該スロットに格納される情報を前記第１の通信ネットワークと前記第２の通信ネットワークとの間で共有するか否かを示す、共有／非共有を設定する動作設定部と、前記共有／非共有の設定内容に従って、前記ネットワーク接続部による前記第１の通信ネットワークと前記第２の通信ネットワークとの間の接続／遮断を制御する接続制御部と、を有する。
【０２４５】
なお、上記ドアホンシステムにおいて、前記第１の通信ネットワークおよび前記第２の通信ネットワークは、それぞれ、先頭に同期スロットを含むフレームを使用して前記通信を行い、前記動作設定部は、少なくとも前記同期スロットに対し、前記共有を設定してもよい。
【０２４６】
また、上記ドアホンシステムにおいて、前記第１の通信ネットワークおよび前記第２の通信ネットワークは、それぞれ、データを格納するための複数のデータスロットを含む前記フレームを使用して前記通信を行い、前記動作設定部は、前記フレームの各スロットに対する前記共有／非共有の設定内容および使用権限と、当該使用権限に準拠すべき端末である指定端末と、を示すスロット管理情報を格納した前記同期スロットを、前記第１の通信ネットワークの前記複数の端末および前記第２の通信ネットワークの前記複数の端末のそれぞれに送信し、前記端末は、第１の前記フレームの前記指定端末に該当するとき、前記第１のフレームにおいて前記第１のフレームの前記使用権限に従って動作し、第１の前記フレームの前記指定端末に該当せず、かつ、過去に受信した第２の前記フレームの前記指定端末に該当するとき、前記第１のフレームにおいて前記第２のフレームの前記使用権限に従って動作してもよい。
【０２４７】
また、上記ドアホンシステムにおいて、前記フレームは、当該フレームの前記指定端末が送信を行うための前記データスロットである指定端末送信スロットを含み、前記スロット管理情報は、前記データスロット毎に、送信元情報、送信先情報、およびコンテンツ種別情報を記述し、前記接続制御部は、前記データスロット毎に、前記送信元情報および前記送信先情報に基づいて前記共有／非共有の設定内容を判定し、前記端末は、前記フレーム毎に、前記指定端末送信スロットの前記送信元情報に基づいて当該フレームの前記指定端末に該当するか否かを判定してもよい。
【０２４８】
また、上記ドアホンシステムにおいて、前記動作設定部は、前記第１の通信ネットワークの前記複数の端末のそれぞれを前記指定端末とする同期スロットと、前記第２通信ネットワークの前記複数の端末のそれぞれを前記指定端末とする同期スロットと、を１つまたは複数の前記フレーム数毎に切り替えて送信してもよい。
【０２４９】
また、上記ドアホンシステムにおいて、前記動作設定部は、前記フレームの前記データスロットの送信元および送信先を、前記第１の通信ネットワークと前記第２の通信ネットワークとに跨いで設定する事により、当該データスロットに対して共有を設定し、前記フレームの前記データスロットの送信元および送信先を、前記第１の通信ネットワークと前記第２の通信ネットワークとに跨がずに設定する事により、当該データスロットに対して非共有を設定し、前記接続制御部は、前記共有が設定されている前記データスロットにおいて、前記第１の通信ネットワークと前記第２の通信ネットワークとの間を接続させ、前記非共有が設定されている前記データスロットにおいて、前記第１の通信ネットワークと前記第２の通信ネットワークとの間を遮断させてもよい。
【０２５０】
また、上記ドアホンシステムにおいて、記動作設定部および前記接続制御部は、少なくとも前記第１のドアホン親機に配置されていてもよい。
【０２５１】
本開示の通信制御方法は、第１の玄関子機および第１のドアホン親機を含む複数の端末を通信主体とし、時分割複信による通信を行う第１の通信ネットワークと、第２の玄関子機および第２のドアホン親機を含む複数の端末を通信主体とし、前記時分割複信による通信を行う第２の通信ネットワークとの間で、スロット毎に、当該スロットに格納される情報を共有するか否かを示す、共有／非共有を設定するステップと、前記共有／非共有の設定内容に従って、前記第１の通信ネットワークと前記第２の通信ネットワークとの間の接続／遮断を制御するステップと、を有する。
【産業上の利用可能性】
【０２５２】
本開示のドアホンシステムおよび通信制御方法は、複数世帯の利用において利便性の向上を図る事ができる、ドアホンシステムおよび通信制御方法として有用である。
【符号の説明】
【０２５３】
１００  ドアホンシステム
１１０ａ  第１のドアホンシステム
１１０ｂ  第２のドアホンシステム
１１１  通信ケーブル
１２０ａ  第１の通信ネットワーク
１２０ｂ  第２の通信ネットワーク
１３０  ネットワーク接続部
２００  玄関子機
２１１、３１１、４１１  キー入力部
２１２、３１２、４１２  スピーカ
２１３、３１３、４１３  マイク
２１４、３１４、４１４  音声Ｉ／Ｆ部
２１５  カメラ部
２２１、３２１、４２１  ケーブル接続部
２２２、３２２、４２２  受信ドライバ
２２３、３２４、４２３  同期検出部
２２４、３２５、４２４  第２クロック生成部
２２５、３２６、４２５  送信データ処理部
２２６、３２７、４２６  送信ドライバ
２３０、３３０、４３０  制御部
２３１、３３１、４３１  第１クロック生成部
２３２、３３２、４３２  データ再生部
２３３、３３３、４３３  パケット生成部
３００  ドアホン親機
３１５、４１５  ディスプレイ部
３２３  ルーティング制御部
３３４  動作設定部
３３５  接続制御部
４００  増設モニタ
【要約】
【課題】複数世帯の利用において利便性の向上を図る事ができる、ドアホンシステムを提供する事。
【解決手段】ドアホンシステムは、それぞれ玄関子機およびドアホン親機３００を含み時分割複信による通信を行う第１および第２の通信ネットワークと、これらの通信ネットワークを接続するためのネットワーク接続部（ケーブル接続部３２１−１、受信ドライバ３２２−１、送信ドライバ３２７−１）と、スロット毎に、当該スロットに格納される情報を第１の通信ネットワークと第２の通信ネットワークとの間で共有するか否かを示す、共有／非共有を設定する動作設定部３３４と、共有／非共有の設定内容に従って、ネットワーク接続部による第１の通信ネットワークと第２の通信ネットワークとの間の接続／遮断（送信ドライバ３２７−１の動作）を制御する接続制御部３３５と、を有する。
【選択図】図５【図１】
0005984029.tif 000002
【図２】
0005984029.tif 000003
【図３】
0005984029.tif 000004
【図４】
0005984029.tif 000005
【図５】
0005984029.tif 000006
【図６】
0005984029.tif 000007
【図７】
0005984029.tif 000008
【図８】
0005984029.tif 000009
【図９】
0005984029.tif 000010
【図１０】
0005984029.tif 000011
【図１１】
0005984029.tif 000012
【図１２】
0005984029.tif 000013
【図１３】
0005984029.tif 000014
【図１４】
0005984029.tif 000015
【図１５】
0005984029.tif 000016
【図１６】
0005984029.tif 000017
【図１７】
0005984029.tif 000018
【図１８】
0005984029.tif 000019
【図１９】
0005984029.tif 000020
【図２０】
0005984029.tif 000021
【図２１】
0005984029.tif 000022